【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
免許不要な移動体からの接続（ＵＭＡ）における、移動局から開始された前記移動局とＵＭＡ網制御装置間でのＵＭＡ無線リソースセッションを解除する方法において、
前記ＵＭＡ網制御装置にて前記移動局からのＵＭＡ無線リソース解除要求伝文を受けることからなり、
前記ＵＭＡ無線リソース解除要求伝文には
プロトコル判別子と、
スキップ表示子と、
含む、複数の情報要素を含むことを特徴とする方法。
【請求項２】
請求項１に記載の方法であって、
前記ＵＭＡ網制御装置から免許要無線アクセス網に使用される中核網に要求を送ることをさらに含み、
前記免許要無線アクセス網には、前記ＵＭＡ無線リソースセッションに使用された情報資源を解放するため、前記移動局が、ＵＭＡ網制御装置を介してアクセスしたものである、
ことを特徴とする方法。
【請求項３】
前記ＵＭＡ無線リソースセッションをサポートするため、前記中核網に使用されている適切な情報資源を解放するように、前記ＵＭＡ網制御装置から前記中核網へ、前記要求を送付することを特徴とする請求項２記載の方法。
【請求項４】
前記ＵＭＡ網制御装置から解除が開始された、前記移動局と前記ＵＭＡ網制御装置との間の前記ＵＭＡ無線リソースセッションを解除する方法において、
前記移動局にて前記ＵＭＡ網制御装置から前記ＵＭＡ無線リソース解除伝文を受けることと、
前記移動局から前記ＵＭＡ網制御装置へ、ＵＭＡ無線リソース解除完了伝文を返すこと、とからなり、
前記ＵＭＡ無線リソース解除伝文と前記ＵＭＡ無線リソース解除完了伝文のそれぞれは、
前記プロトコル判別子と、
前記スキップ表示子と、
伝文を識別できる伝文型と、を含む複数の前記情報要素を含むことを特徴とする方法。
【請求項５】
前記ＵＭＡ無線リソース解除伝文はさらに、ＵＭＡ無線リソース解放の原因を、ＵＭＡ原因値一覧表を介して判断できる値を含むＵＭＡ無線リソース解放原因情報要素を含むことを特徴とする請求項４記載の方法。
【請求項６】
前記ＵＭＡ無線リソース解除伝文はさらに、パケット無線サービス再開情報要素を含むことを特徴とする請求項４記載の方法。
【請求項７】
前記移動局においてすべてのＵＭＡ無線リソースとトラフィックチャンネルリソースを解放することと、
前記移動局をＵＭＡ無線リソースアイドル状態に入れること、とからさらになる、請求項４記載の方法。
【請求項８】
前記移動局がＵＭＡ網と前記ＵＭＡ無線リソースセッションする前記ＵＭＡ網制御装置を含む前記ＵＭＡ網を介して前記移動局を呼要求する方法において、
前記ＵＭＡ網制御装置から前記移動局へＵＭＡ無線リソース呼要求伝文を送ることと、
前記ＵＭＡ網制御装置にて前記移動局からのＵＭＡ無線リソース呼応答伝文を受けること、とからなり、
前記ＵＭＡ無線リソース呼要求伝文と前記ＵＭＡ無線リソース呼応答伝文はそれぞれ、
前記プロトコル判別子と、
前記スキップ・表示子と、
伝文を識別できる伝文型とを含む複数の前記情報要素を含み、
前記呼要求伝文はさらに、必要なチャンネルを識別する必要チャンネル情報要素と、前記移動局を識別するモバイル識別情報要素とを含むことを特徴とする方法。
【請求項９】
前記ＵＭＡ網制御装置を介して、前記ＵＭＡ網にアクセスする前記移動局のクラスマーク調査を実行する方法において、
前記移動局と前記ＵＭＡ網制御装置との間の前記ＵＭＡ無線リソースセッションを確立することと、
前記ＵＭＡ網制御装置から前記移動局へＵＭＡ無線リソースクラスマーク問い合わせ伝文を送ることと、
前記ＵＭＡ網制御装置にて前記移動局からのＵＭＡ無線リソースクラスマーク変更伝文を受けること、とからなり、
前記ＵＭＡ無線リソースクラスマーク問い合わせ伝文と前記ＵＭＡ無線リソースクラスマーク変更伝文のそれぞれは、
前記プロトコル判別子と、
前記スキップ表示子と、
伝文を識別できる伝文型とを含む複数の前記情報要素を含むことを特徴とする方法。
【請求項１０】
第１無線アクセス網からなる前記ＵＭＡ網で動作する前記ＵＭＡ網制御装置であって、
ＩＰ（インターネット・プロトコル）網インターフェースからなる第１網インターフェースと、
Ｕｐインターフェースからなる第２網インターフェースで、これを介して前記移動局と前記ＵＭＡ網制御装置との間に通信可能に接続された無線アクセス・ポイントを通じて前記移動局とＵＭＡ伝文を送受信するもので、前記Ｕｐインターフェースは、前記ＩＰ網インターフェース上に実装された複数の通信プロトコル層を含むものと、
第３の網インターフェースで、前記ＵＭＡ網制御装置がこれを介して前記第２無線アクセス網にアクセス可能な前記中核網に接続されるものと、
前記ＵＭＡ網の１人以上の前記移動局顧客とのサーバ側のＵＭＡ無線リソース通信をサポートするため、前記Ｕｐインターフェース上で送信された複数のＵＭＡ無線リソース伝文を生成および／または処理するための手段と、
からなり、
前記ＵＭＡ無線リソース伝文のそれぞれは、
前記プロトコル判別子と、
前記スキップ・表示子と、
伝文を識別できる伝文型と、を含む基本的な前記情報要素１式を含む、ことを特徴とする装置。
【請求項１１】
請求項１０記載のＵＭＡ網制御装置であって、
前記ＵＭＡ無線リソース伝文は、前記移動局と前記ＵＭＡ網制御装置との間で確立された、前記ＵＭＡ無線リソースセッションに対応するリソースの解放、を要求する前記移動局から前記ＵＭＡ網制御装置へ送られるＵＭＡ無線リソース解除要求伝文を含み、
前記ＵＭＡ無線リソース解除要求伝文の受信に対して、前記ＵＭＡ網制御装置は伝文を処理し、免許要無線アクセス網が使用する前記中核網へ要求を送り、そのサービスは、前記移動局が前記ＵＭＡ無線リソースセッションに用いるリソース解放のため前記ＵＭＡ網制御装置を介してアクセスすることを特徴とする装置。
【請求項１２】
前記ＵＭＡ無線リソース伝文は、
前記移動局と前記ＵＭＡ網制御装置との間に確立された前記ＵＭＡ無線リソースセッションに対応するリソースの解放を開始するため、前記ＵＭＡ網制御装置が生成し、前記移動局に送るＵＭＡ無線リソース解除伝文と、
ＵＭＡ無線リソース解除伝文に対して前記移動局が受信し、前記ＵＭＡ網制御装置が処理するＵＭＡ無線リソース解除完了伝文とを含むことを特徴とする請求項１０記載のＵＭＡ網制御装置。
【請求項１３】
前記ＵＭＡ無線リソース解除伝文はさらに、ＵＭＡ無線リソース解放の原因を、ＵＭＡ原因値ルックアップ・テーブルを介して判断できる値を含むＵＭＡ無線リソース解放原因情報要素からなることを特徴とする請求項１２記載のＵＭＡ網制御装置。    
【請求項１４】
前記ＵＭＡ無線リソース解除伝文はさらに、パケット無線サービス再開情報要素を含むことを特徴とする請求項１２記載のＵＭＡ網制御装置。
【請求項１５】
前記第１無線アクセス網にアクセスするための前記第１無線インターフェースと、
免許不要無線周波数を用いて前記無線アクセス・ポイントを介して前記ＵＭＡ網からなる前記第２無線アクセス網にアクセスするための前記第２無線インターフェースと、
インターネットＩＰ網を介して前記無線アクセス・ポイントに通信可能に接続されたＵＭＡ網制御装置を通じてＵＭＡ網と通信するための複数のプロトコルを前記ＩＰ網インターフェース上に装備した前記Ｕｐインターフェースと、
前記ＵＭＡ網の１以上の前記ＵＭＡ網制御装置サーバとのクライアント側のＵＭＡ無線リソース通信をサポートするため前記Ｕｐインターフェース上を送信される複数の前記ＵＭＡ無線リソース伝文を生成および／または処理するための手段と、
からなり、前記ＵＭＡ無線リソース伝文のそれぞれは、
前記プロトコル判別子と、
前記スキップ・表示子と、
伝文を識別できる伝文型と、を含む基本的な前記情報要素１式を含むことを特徴とする移動局。
【請求項１６】
前記ＵＭＡ無線リソース伝文は、
前記移動局と前記ＵＭＡ網制御装置との間で確立されたＵＭＡ無線リソースセッションに対応するリソースの解放を要求するため、前記移動局が生成し、前記移動局から前記ＵＭＡ網制御装置へ送られる前記ＵＭＡ無線リソースクリア要求伝文を含むことを特徴とする請求項１５記載の移動局。
【請求項１７】
前記ＵＭＡ無線リソース伝文は、
前記移動局と前記ＵＭＡ網制御装置との間で確立された前記ＵＭＡ無線リソースセッションに対応するリソースの解放を開始するため、前記ＵＭＡ網制御装置から前記移動局へ送られる前記ＵＭＡ無線リソース解除伝文と、
前記移動局が生成し、前記ＵＭＡ無線リソース解除伝文に対して前記移動局から前記ＵＭＡ網制御装置へ返される前記ＵＭＡ無線リソース解除完了伝文とを含むことを特徴とする請求項１５記載の移動局。
【請求項１８】
前記ＵＭＡ無線リソース解除伝文に対して、前記移動局は、
前記ＵＭＡ無線リソースセッションに関連するすべてのＵＭＡ無線リソースリソースとトラフィックチャンネルリソースを解放することと、
前記ＵＭＡ無線リソースアイドル状態に入ることと、を含む動作を実行することを特徴とする請求項１５記載の移動局。
【請求項１９】
前記ＵＭＡ無線リソース解除伝文はさらに、パケット無線サービス再開情報要素を含み、前記ＵＭＡ無線リソース解除伝文に対し、前記移動局は、
前記パケット無線サービス再開情報要素に含まれる前記パケット無線サービス情報を保存することと、
ＵＭＡ網を介して前記パケット無線サービスを再確立する時にこの前記パケット無線情報を利用することと、を含む動作を実行することを特徴とする請求項１５記載の移動局。
【請求項２０】
前記ＵＭＡ網からなる前記第１無線アクセス網から前記第２無線アクセス網へのセル引継ぎを実行するための方法において、
その方法は、
前記ＵＭＡ網制御装置を介して前記移動局とＵＭＡ網との間に専用接続を確立することと、
前記ＵＭＡ網からのセル引継ぎが可能であると判断することと、
前記移動局から前記ＵＭＡ網制御装置へ前記ＵＭＡ無線リソースセル引継ぎ必要伝文を送ることと、
前記移動局において前記ＵＭＡ網制御装置からのＵＭＡ無線リソースセル引継ぎ・指示伝文を受けることと、からなり、
前記ＵＭＡ無線リソースセル引継ぎ必要伝文と前記ＵＭＡ無線リソース・セル引継ぎ・指示伝文のそれぞれは、
前記プロトコル判別子と、
前記スキップ・表示子と、
伝文を識別できる伝文型と、を含む基本的な前記情報要素１式を含み、
前記ＵＭＡ無線リソース・セル引継ぎ必要・伝文はさらに、前記移動局が、前記ＵＭＡ網からのセル引継ぎを完了するため接続できる前記第２無線アクセス網で動作する１以上のセルを識別する少なくとも１個の前記情報要素を含むことを特徴とする方法。
【請求項２１】
前記ＵＭＡ網に移動局を登録する方法において、
前記移動局と前記無線アクセス・ポイントとの間に無線ＬＡＮリンクを確立することと、
前記移動局と、前記無線アクセス・ポイントに通信可能に接続された第１ＵＭＡ網制御装置との間に第１のＴＣＰ（転送制御プロトコル）セッションを確立することと、
前記移動局から第１の前記ＵＭＡ網制御装置に送られたＵＭＡ無線リソース登録要求伝文を含む第１のＴＣＰセッションで前記移動局と第１の前記ＵＭＡ網制御装置との間で複数のＵＭＡ無線リソース登録伝文を送信することとからなり、
前記ＵＭＡ無線リソース登録伝文のそれぞれは、
前記プロトコル判別子と、
前記スキップ・表示子と、
伝文を識別できる伝文型とを含む基本的な前記情報要素１式を含み、
前記ＵＭＡ無線リソース登録伝文はさらに、
前記移動局が識別できるモバイル・アイデンティティ情報要素と、
前記移動局がＧＳＭ無線リソースが待機または専用状態であるかを定義するＧＳＭ無線リソース状態情報要素と、
無線アクセス・ポイント識別子情報要素とを含む特徴とする方法。
【請求項２２】
前記第２の無線アクセス網からなる前記ＵＭＡ網を介して前記第１の無線アクセス網によりホストされた音声帯戴サービスにアクセスするため移動局の音声帯戴チャンネルを割り当てる方法において、その方法は、
前記移動局と前記無線アクセス・ポイントとの間に無線ＬＡＮリンクを確立することと、
前記移動局と、前記無線アクセス・ポイントに通信可能に接続された前記ＵＭＡ網制御装置との間に専用通信を確立することと、
音声帯戴チャンネルを割り当てるため、前記移動局と前記ＵＭＡ網制御装置との間で複数のＵＭＡ無線リソースチャンネル起動伝文を送ることで、ＵＭＡ無線リソースチャンネル起動伝文は、音声帯載チャンネルの割り当てを開始している前記ＵＭＡ網制御装置から前記移動局で受け取られる前記ＵＭＡ無線リソースチャンネル起動伝文を含むものとからなり、
前記ＵＭＡ無線リソースチャンネル起動伝文のそれぞれは、
前記プロトコル判別子と、
前記スキップ・表示子と、
伝文を識別できる伝文型とを含む基本的な前記情報要素１式を含み、
前記ＵＭＡ無線リソースチャンネル起動伝文はさらに、
音声帯載チャンネルに用いるチャンネル・モードを指定する情報を含む、チャンネル・モード情報要素を含むことを特徴とする方法。
【請求項２３】
少なくも１つのプロセッサにより実行可能なコンピュータプログラムを保存し、
前記コンピュータプログラムは請求項１−３、８および９のいずれかに記載の方法を実施するための命令群から成る、有形のコンピュータ用読み出し可能媒体。
【請求項２４】
少なくも１つのプロセッサにより実行可能なコンピュータプログラムを保存し、
前記コンピュータプログラムは請求項４−７、２０、２１および２２のいずれかに記載の方法を実施するための命令群から成る、有形のコンピュータ用読み出し可能媒体。
【請求項２５】
請求項１−３、８および９のいずれかに記載の方法を実行実施するための回路群から成る装置。
【請求項２６】
請求項４−７、２０、２１および２２のいずれかに記載の方法を実施するための回路群から成る装置。
【手続補正２】
【補正対象書類名】明細書
【補正対象項目名】全文
【補正方法】変更
【補正の内容】
【書類名】明細書
【発明の名称】
免許不要移動体アクセス通信システムにおける伝文伝達
【技術分野】
【０００１】
（関連出願に対する相互参照）
本願は、２００４年５月１４日に出願された、「Ｕｐインターフェース・ステージ３記述」という名称の特許仮出願第６０／５７１４２１号の優先権を主張する。本願は、２００３年１０月７日に出願された「免許不要無線通信システムを用いた免許要無線通信システムのカバレッジ・エリアを拡張するための装置および方法」という名称の米国非特許仮出願第１０／６８８４７０号の一部継続である、２００４年１２月１５日出願の「免許不要無線通信システムを用いた免許要無線通信システムのカバレッジ・エリアを拡張するための装置および方法」という名称の米国特許非仮出願第１１／０１３８８３号の一部継続で、その優先権を主張する。本願はまた、２００４年４月２２日に出願された「ＵＭＡ網制御装置選択とＵＭＡロケーション・サービス・サポート機構」という名称の特許仮出願第６０／５６４６９６号の優先権を主張する、２００５年３月３１日出願の「ネットワーク・コントローラによる免許不要モバイル・アクセス加入者の登録のための方法およびシステム」という名称の米国特許非仮出願第１１／０９７８６６号の一部継続で、その優先権を主張する。
【０００２】
本願は、また、共通に所有する次の米国出願に関連する：２００２年４月２日出願の「加入者装置による免許不要および免許要無線通信を容易化するための免許不要無線通信基地局と動作方法」という名称の出願第１０／１１５８３３号、参照により本書にその内容を組み込む、２００２年９月２０日出願の「免許要無線システムと免許不要無線システムとの間の遠隔通信セッションのセル引継ぎをサポートするための装置」という名称の出願第１０／２５１９０１号。さらに、本願は、次の米国出願に開示される主題を含む。２００５年５月１２日に出願されたシリアル番号第  号、代理人番号、００７０９０．Ｐ０３２、００７０９０．Ｐ０３２、００７０９０．Ｐ０３２。
（技術分野）
【０００３】
本発明の分野は、全体として通信に関する。より詳しくは、本発明は、免許要および免許不要の両無線インフラを含む免許不要な移動体接続（ＵＭＡ）通信システムで使用される伝文交換に関する。
【背景技術】
【０００４】
免許要無線システムは、無線トランシーバを用いて、個人に対しモバイル無線通信を提供する。免許要無線システムとは、公共携帯電話システムおよび／またはパーソナル通信サービス電話システムを指す。無線トランシーバには、携帯電話、パーソナル通信サービス電話、無線機器対応パーソナル携帯端末、無線モデム等が含まれる。
【０００５】
免許要無線システムは、政府から免許された無線信号周波数を利用する。これら周波数にアクセスするためには多大な料金が支払われる。免許周波数での通信に対応するため、高価な基地局設備が用いられる。基地局は一般に、互いから略１マイル離れて設置される（携帯ネットワークの携帯タワー等）。一般的な免許要無線システムが採用する無線トランスポート機構および周波数は、データ転送レートおよび範囲の両方を限定する。その結果、免許要無線システムにおけるサービスの品質（音声品質およびデータ転送速度）は、有線接続によって可能なサービスの品質より大幅に劣るものとなる。そのため、免許要無線システムのユーザは、比較的低品質のサービスに対して比較的高い料金を支払う。
【０００６】
有線接続は広範囲に配備され、一般に、高品質の音声および光速データサービスを低コストで実行する。有線接続の問題は、これらはユーザの移動性を制約する点である。従来、有線への物理的接続が要求されてきた。
【０００７】
過去数年間において、有線ベースのネットワークへのモバイル・アクセスを容易にするための免許不要無線通信システムの利用が急速に発達した。例えば、このような免許不要無線システムは、情報要素ＥＥ  ８０２．１１ａ、ｂまたはｇ規格（ＷｉＦｉ）またはＢｌｕｅｔｏｏｔｈ（登録商標）規格に基づく無線通信に対応することができる。かかるシステムに関連する移動性範囲は一般に、１００メートル以下のオーダーである。一般的な免許不要無線通信システムは、有線ベースネットワークへの物理的接続（同軸、ツイストペア線、光ケーブル等）を持つ無線アクセス・ポイント（ＡＰ）からなる基地局を含む。ＡＰは、ＡＰの適当な距離内で動作可能な無線送受話器による通信を容易にするためＲＦトランシーバを有し、ＷｉＦｉおよびＢｌｕｅｔｏｏｔｈ（登録商標）規格によってサポートされるデータ転送レートは、前述の免許要無線システムによるサポートよりはるかに高い。そのため、このオプションは、低コストでより高品質のサービスを提供するが、サービスは基地局から適当な距離にしか延びない。
【０００８】
現在、免許要および免許不要無線システムの利用を継ぎ目なく統合し、ユーザが単一の送受話器を介して、免許不要無線システムのカバー範囲内では免許不要無線システムにアクセスし、免許不要無線システムのカバー範囲外では、免許要無線システムにアクセスしてこれを適切なネットワーク・コントローラ（網制御装置）に向けられるようにするための技術が開発されている。各種ベンダーによる早期の実装に対応するため、登録、チャンネル起動、セル引継ぎ等各種機能を実行するための標準化された伝文セットが必要である。
【発明の開示】
【０００９】
本発明の様態に従い、免許不要モバイル・アクセス・ネットワークにおける移動局およびＵＭＡ網制御装置の間の伝文伝達を実行するための技術を開示する。各種動作を容易にするため、ＵＭＡＮで動作する移動局と１個以上のＵＭＡ網制御装置との間でＵＭＡ無線リソース伝文が交換される。８０２．１１ベースのリンクまたはＢｌｕｅｔｏｏｔｈ（登録商標）リンクなどの免許不要無線周波数を用いた無線リンクを採用することにより、移動局は、ＩＰネットワークを介してＵＭＡ網制御装置に通信可能に接続する無線アクセス・ポイント（ＡＰ）を介してＵＭＡＮにアクセスすることができる。ＵＭＡ無線リソース伝文は、基礎となるＩＰトランスポート上の通信プロトコル層のセットからなるＵｐインターフェースを用いて移動局とＵＭＡ網制御装置との間で送信される。
【００１０】
本発明の別の様態では、特定の形式を持つＵＭＡ無線リソース伝文が開示される。ＵＭＡ無線リソース伝文はそれぞれ、プロトコル判別子、スキップ表示子、伝文タイプを含む情報要素の基本セットを含み、これを介して伝文を識別することができる。さらに、特定のＵＭＡ無線リソースセル引継ぎ・伝文のそれぞれに関連する情報要素も開示される。  
【００１２】
本発明の前述の様態および付随する利点の多くは、添付の図面と共に以下の詳細な説明を参照することによりよく理解されると同時により容易に理解されるが、図面において、同様の参照番号は、特に指定のない限り、各種図面を通じて同様の部分を参照する。
【００１３】
（図面の簡単な説明）
図１Ａは、本発明の一実施例によるＵＭＡ移動サービス実現の全体図を示す。
【００１４】
図１Ｂは、一実施例によるモバイルセットのプロトコル層を示す。
【００１５】
図１Ｃは、一実施例によるプロトコル変換方法を示す。
【００１６】
図２Ａは、Ｂｌｕｅｔｏｏｔｈ信号を介して免許不要無線リンクを提供する移動局の一実施例のレベル１、レベル２、およびレベル３、ＧＳＭ関連プロトコル構成の全体図を示す。
【００１７】
図２Ｂは、情報要素ＥＥ８０２．１１信号を介して免許不要無線リンクを提供する移動局の一実施例のレベル１、レベル２、およびレベル３、ＧＳＭ関連プロトコル構成の全体図を示す。
【００１８】
図３Ａは、一実施例による、ＣＳドメイン信号およびＵＭＳ固有シグナリングをサポートするＵｐインターフェース・プロトコル・構成を示す。
【００１９】
図３Ｂは、物理層通信を容易にするため移動局およびアクセス・ポイントにより採用されるＢｌｕｅｔｏｏｔｈ下位層を示す。
【００２０】
図３Ｃは、物理層通信を容易にするため移動局およびアクセス・ポイントにより採用される情報要素ＥＥ８０２．１１下位層を示す。
【００２１】
図３Ｄは、一実施例によるＧＳＭ音声送信をサポートするＵｐ  ＣＳドメイン音声帯載・プロトコル構成を示す。
【００２２】
図３Ｅは、一実施例によるＵｐ  ＧＰＲＳユーザ・プレーン・プロトコル構成を示す。
【００２３】
図３Ｆは、一実施例によるＧＰＲＳシグナリングをサポートするＵｐプロトコル構成を示す。
【００２４】
図４は、一実施例による考えられるＧＳＭおよびＵＭＡカバレッジシナリオ数例を示す。
【００２５】
図５は、一実施例の移動管理機能を例示する。
【００２６】
図６Ａは、登録成功に対応するＵＭＡ無線リソース登録伝文  交換を示す。
【００２７】
図６Ｂは、登録拒絶に対応するＵＭＡ無線リソース登録伝文  交換を示す。
【００２８】
図６Ｃは、移動局を第１ＵＭＡ網制御装置から第２ＵＭＡ網制御装置に再接続するＵＭＡ無線リソース登録伝文交換を示す。
【００２９】
図７は、ＵＭＡ無線リソース登録要求伝文形式の一実施例を示す表である。
【００３０】
図８Ａは、ＵＭＡ無線リソース登録肯定応答伝文形式の一実施例を示す表である。
【００３１】
図８Ｂは、ＵＭＡ  ＧＳＭシステム情報要素の一実施例を示す表である。
【００３２】
図９は、ＵＭＡ無線リソース  登録拒否／再接続伝文形式の一実施例を示す表である。
【００３３】
図１０Ａは、ＵＭＡ無線リソース登録更新・アップリンク伝文  と、ＵＭＡ無線リソース登録再接続伝文とを含むＵＭＡ無線リソース伝文形式を示す。
【００３４】
図１０Ｂは、ＵＭＡ無線リソース登録更新・ダウンリンク伝文と、ＵＭＡ無線リソース登録取り消し伝文と、ＵＭＡ無線リソース登録リダイレクト伝文とを含むＵＭＡ無線リソース伝文形式を示す。
【００３５】
図１１は、ＵＭＡ無線リソース登録更新・アップリンク伝文形式の一実施例を示す表である。
【００３６】
図１２は、ＵＭＡ無線リソース登録更新・ダウンリンク伝文形式の一実施例を示す表である。
【００３７】
図１３は、ＵＭＡ無線リソース登録取り消し伝文形式の一実施例を示す表である。
【００３８】
図１４は、各種ＵＭＡ無線リソース動作の原因に対応する８ビット値を含む参照表の一実施例を示す表である。
【００３９】
図１５は、チャンネル起動伝文シーケンスを示す。
【００４０】
図１６は、ＵＭＡ無線リソースチャンネル起動伝文形式の一実施例を示す表である。
【００４１】
図１７は、ＵＭＡ無線リソースチャンネル起動肯定応答伝文形式の一実施例を示す表である。
【００４２】
図１８は、ＵＭＡ無線リソースチャンネル起動失敗伝文形式の一実施例を示す表である。
【００４３】
図１９は、ＵＭＡ無線リソースチャンネル起動完了伝文形式の一実施例を示す表である。
【００４４】
図２０は、移動局によって開始されるセル引継ぎ伝文形式を示す。
【００４５】
図２１は、ＵＭＡ無線リソースセル引継ぎアクセス伝文形式の一実施例を示す表である。
【００４６】
図２２は、ＵＭＡ無線リソースセル引継ぎ完了伝文形式の一実施例を示す表である。
【００４７】
図２３Ａは、ＵＭＡ網制御装置から送られたＵＭＡ無線リソースアップリンク品質表示伝文に対して開始されるセル引継ぎ伝文形式を示す。
【００４８】
図２３Ｂは、セル引継ぎ失敗に従って、ＵＭＡ網制御装置から送られたＵＭＡ無線リソースアップリンク品質表示伝文に対して開始されるセル引継ぎ・伝文形式を示す。
【００４９】
図２４は、ＵＭＡ無線リソースアップリンク品質表示伝文形式の一実施例を示す表である。
【００５０】
図２５は、ＵＭＡ無線リソースセル引継ぎ必要伝文形式の一実施例を示す表である。
【００５１】
図２６Ａおよび２６Ｂは、ＵＭＡ無線リソースセル引継ぎ・指示伝文形式の一実施例を示す表部分である。
【００５２】
図２７は、ＵＭＡ無線リソースセル引継ぎ失敗伝文形式の一実施例を示す表である。
【００５３】
図２８は、移動局からＵＭＡ網制御装置に送られるＵＭＡ無線リソース要求クリア伝文を示す。
【００５４】
図２９は、ＵＭＡ無線リソース要求クリア伝文形式の一実施例を示す表である。
【００５５】
図３０は、ＵＭＡ網制御装置によって開始されたＵＭＡ無線リソースリリース・伝文形式を示す。
【００５６】
図３１は、ＵＭＡ無線リソース解除伝文形式の一実施例を示す表である。
【００５７】
図３２は、ＵＭＡ無線リソース解除完了伝文形式の一実施例を示す表である。
【００５８】
図３３は、ＵＭＡ網制御装置によって開始されたＵＭＡ無線リソース呼伝文形式を示す。
【００５９】
図３４は、ＵＭＡ無線リソース呼要求伝文形式の一実施例を示す表である。
【００６０】
図３５は、ＵＭＡ無線リソース呼応答伝文形式の一実施例を示す表である。
【００６１】
図３６は、ＵＭＡ網制御装置によって開始されたＵＭＡ無線リソースクラスマーク伝文形式を示す。
【００６２】
図３７は、ＵＭＡ無線リソースクラスマーク問い合わせ伝文形式の一実施例を示す表である。
【００６３】
図３８は、ＵＭＡ無線リソースクラスマーク変更伝文形式の一実施例を示す表である。
【００６４】
図３９は、ＵＭＡ網制御装置の高レベル構成の一実施例を示す略図である。
【００６５】
図４０は、移動局の高レベル構成の一実施例を示す略図である。
【発明を実施するための最良の形態】
【００６６】
以下の説明では、本発明の実施例を完全に理解できるよう、特定の詳細を多く記載する。しかしながら、当業者は、本発明が特定の詳細の１以上なしに、あるいは他の方法、構成要素、材料その他によって実施できることを認識するであろう。他の場合、周知の構造、材料または動作は、発明の様態を曖昧にすることを避けるため、詳細に表示または記載しない。
【００６７】
本明細書を通じて、「一実施例」または「実施例」との言及は、実施例に関連して記載される特定の特徴、構造または特性が、本発明の少なくとも一つの実施例に含まれることを意味する。そのため、本明細書全体の各所における「一実施例において」または「実施例において」との文言の出現は、必ずしもすべてが同一の実施例を指すとは限らない。さらに、特定の特徴、構造または特性は、１以上の実施例においてあらゆる好適な方法で組み合わせることができる。
【００６８】
本発明では、免許不要無線システムは短距離無線システムで、「屋内」ソリューションと説明することができる。しかしながら、本出願を通じて、免許不要無線システムが、建造物の一部ばかりでなく、免許不要無線システムがサービスを提供する法人キャンパスの屋外部分等、局所的屋外領域もカバーする免許不要無線システムを含むことが理解される。例えば、移動局は、無線電話、スマートフォン、携帯端末、モバイルコンピュータ等である。「移動局」はまた、例えば、総合デジタル通信網（ＩＳＤＮ）またはアナログ音声通話サービス（ＰＯＴＳ）端末を無線システムに接続するための端末アダプタ機能セットを提供する固定無線装置でよい。本発明をこの種の装置に適用することにより、無線サービス・プロバイダは、免許要無線システムが十分にカバーしていない地域のユーザにも、いわゆる有線代替サービスを提供することができる。本記述は、ＵＭＡコンソーシアムが推奨するＵＭＡ（免許不要モバイル・アクセス）標準化構成のコンテキストにある。しかしながら、本発明はそれには限定されない。
【００６９】
以下の記述を通じて、無線サービスの通信業界に共通して用いられる頭字語を、本発明固有の頭字語と共に用いる。本出願固有の頭文字の表を付録Ｉに含める。
【００７０】
図１Ａは、本発明の一実施例による免許不要モバイル・アクセス（ＵＭＡ）構成１００を示す。ＵＭＡ構成１００により、移動局１０２のユーザは、免許要無線通信セッション１０６、または免許不要無線通信セッション１０８のいずれかを介して音声および通信ネットワーク１０４にアクセスすることができる。通信ネットワーク１０４は、音声ネットワーク１１２へのアクセスを提供する移動局交換基地１１０と、データネットワーク１１６へのアクセスを提供する、サービングＧＰＲＳ（汎用パケット無線システム）サポート・ノード（ＳＧＳＮ）１１４とを含む。移動局交換基地１１０は内部ビジター位置登録（ＶＬＲ）機能も提供する。
【００７１】
さらに詳しくは、免許要無線通信セッションは、通信ネットワーク１０４を含む免許要無線ネットワーク１１８の提供するインフラによって容易化される。図示の実施例では、免許要無線ネットワーク１１８はＧＳＭ（グローバル・システム・フォー・モバイル・コミュニケーション）ベースのセルラー網に共通する構成要素を示すが、これは、それぞれの免許要無線リンク１２２（例えば、免許帯域内の無線周波数を採用した無線リンク）を介して各種移動局１０２のための無線通信サービスを容易にする、複数の基地トランシーバ局（ＢＴＳ）１２０（のうち、単純化のため１個のみ示す）を含む。一般に、複数のＢＴＳ１２０は、広域サービスエリアをカバーするセルラー構成（各セルに１個）に構成される。あるエリアまたは地域の各種ＢＴＳ１２０は基地局コントローラ（ＢＳＣ）１２４によって管理され、各ＢＴＳ１２０は、専用幹線網１２６を介してそのＢＳＣ１２４に通信可能に接続される。一般に、地域または全国的な移動サービス・プロバイダの提供するような大規模免許要無線ネットワークは複数のＢＳＣ１２４を含む。
【００７２】
各ＢＳＣ１２４は、標準基地局コントローラ・インターフェース１２６を通じて電気通信ネットワーク１０４と通信する。例えば、ＢＳＣ１２４は、回線交換音声サービスについてはＧＳＭ  Ａインターフェースを介して移動局交換基地１１０と、パケット・データ・サービス（ＧＰＲＳ）についてはＧＳＭ  Ｇｂインターフェースを介してＳＧＳＮ１１４と通信することができる。従来の免許要音声およびデータネットワーク１０４は、１つの認識されたＢＳＣ１２４から別のＢＳＣ（図示せず）への継ぎ目の無いハンドオフを可能にするプロトコルを含む。
【００７３】
免許不要通信セッション１０８は、屋内基地局１３０からなる無線アクセス・ポイント（ＡＰ）１２８を介して容易化される。一般に、ＡＰ１２８は、住宅１３２またはオフィスビル１３４等の固定構造物内に位置する。屋内基地局１３０のサービスエリアは、建造物の屋内部分を含むが、屋内基地局のサービスエリアは、建造物またはキャンパスの屋外部分を含むことができることが理解される。免許不要通信セッション１０８を表す矢印によって示すように、移動局１０２は、免許不要無線チャンネル１３６と、アクセス・ポイント１２８と、アクセス・ネットワーク１３８と、免許不要免許不要ＵＭＡ網制御装置１４０とを含む第２のデータパスを介して電気通信ネットワーク１１４と接続することができる。ＵＭＡ網制御装置１４０は、基地局コントローラ・インターフェース１２６Ａに似た基地局コントローラ・インターフェース１２６Ｂを用いて電気通信ネットワーク１０４と通信し、ＧＳＭ  ＡインターフェースとＧｂインターフェースとを含む。ＡＰ１２８は、メモリに保存され、プロトコル変換を実行するよう適合された１以上のマイクロプロセッサ（図１Ａには図示せず）にて実行されるソフトウェア・エンティティ（モジュール）を持つことができる。
【００７４】
免許不要無線チャンネル１３６は、免許不要の無料の電波（２．４ＧＨｚ、５ＧＨｚ、１１から６６ＧＨｚ周辺のスペクトル）の波長（または波長範囲）を利用した無線リンクを利用できる。免許不要無線チャンネル１３６をホストする免許不要無線サービスは関連する通信プロトコルを持つ。例として、免許不要無線サービスは、Ｂｌｕｅｔｏｏｔｈ（登録商標）互換無線サービス、または無線ローカル・エリア・ネットワーク（ＬＡＮ）（ＷｉＦｉ）サービス（情報要素ＥＥ  ８０２．１１ａ、ｂ、またはｇ無線規格等）でよい。これにより、免許不要無線サービスのサービス領域内（すなわち、対応するＡＰのサービス範囲内）で、潜在的に改良された品質のサービスをユーザに提供する。そのため、加入者が免許不要ＡＰの範囲内にある時、加入者は低コスト、高速および高品質の音声およびデータサービスを享受することができる。さらに、免許要無線システムでは信頼性の高いサービスとならない建造物奥の場所でハンドセットがサービスを受けることができるため、加入者は拡張されたサービス範囲を享受することができる。同時に、加入者は通信を切断されることなく、免許不要ＡＰの範囲外でローミングすることができる。あるいは、免許不要ＡＰの範囲外でのローミングにより、継ぎ目の無いセル引継ぎが生じ、そこでは、米国特許出願第１０／１１５８３３号に詳述され、参照によってその内容を本書に組み込む免許要無線システムによって、通信サービスが自動的に提供される。
【００７５】
移動局１０２は、通信セッションを管理する無線用プロトコルを実行するコンピュータプログラムを入れるメモリとマイクロプロセッサ（図示せず）とを含むことができる。図１Ｂに示すように、一実施例では、移動局１０２は、レイヤ１プロトコル層１４２と、レイヤ２プロトコル層１４４と、無線リソース（ＲＲ）サブ層１４６と、移動管理（ＭＭ）サブ層１４８と、通話管理（ＣＭ）層１５０とを含む免許要無線サービスのレイヤ３シグナリングプロトコル層とを含む。レベル１と、レベル２と、レベル３の層はソフトウェア・モジュールとして実装でき、ソフトウェア「エンティティ」とも記述されることが理解される。免許要無線サービスの共通の分類に従い、レイヤ１は物理層、すなわち、無線通信セッションの物理的ベースバンドである。物理層は、無線インターフェースの最下層で、物理的無線リンクでビットストリームを転送する機能を提供する。レイヤ２はデータリンク層である。データリンク層は、移動局と基地局コントローラとの間のシグナリングを提供する。ＲＲサブ層は、移動局が専用モードにある時のＲＲセッションの管理と、無線チャンネル、パワーコントローラ、不連続送信および受信、セル引継ぎの管理の構成に関連する。移動性管理層は、加入者の移動によって生じる問題を管理する。移動性管理層は、例えば、移動局の位置、セキュリティ機能、認証を扱うことができる。通話制御管理層は、エンドツーエンド通話確立の制御を行う。免許要無線システムのこのような機能は、無線通信の当業者にとって既知である。
【００７６】
移動局はまた、免許不要無線サービス物理層１５２（すなわち、Ｂｌｕｅｔｏｏｔｈ、ＷｉＦｉその他免許不要無線チャンネル（ＷｉＭＡＸ等）等の免許不要無線サービスの物理層）を含む。移動局はまた、免許不要無線サービスレベル２リンク層１５４と、免許不要無線サービス無線リソースサブ層１５６とを含むことができる。アクセス・モード・スイッチ１６０は、移動局１０２が免許不要ＡＰ１２８の範囲内にある時、モバイル管理１４８および通話管理層１５０が免許不要無線サービス無線リソースサブ層１５６と免許不要無線サービスリンク層１５４にアクセスして、免許要ＲＲサブ層１４６と、免許不要無線サービスＲＲサブ層１５６との間の切り替えに対応できるようにするため含まれる。
【００７７】
免許不要無線リソースサブ層１５６と免許不要リンク層１５４は、免許要および免許不要無線システムの間の継ぎ目の無いハンドオフを容易にするため選択されたプロトコルに加えて用いられる、免許不要無線サービス固有のプロトコルを含む。その結果、免許不要無線リソースサブ層１５６と免許不要リンク層１５４は、移動局交換基地、ＳＧＳＮその他音声またはデータネットワークの認識する従来の基地局コントローラ・インターフェース・プロトコル１２６と互換の形式に変換する必要がある。
【００７８】
図１Ｃを参照すると、本発明の一実施例では、移動局１０２と、ＡＰ１２８と、ＵＭＡ網制御装置１４０とは、免許不要サービスのレベル１、レベル２、レベル３層を、従来の基地局サブネットワーク（ＢＳＳ）インターフェース１２６Ｂ（ＡインターフェースまたはＧｂインターフェース等）に変換するインターフェース変換機能を提供する。プロトコル変換の結果、通信セッションは音声／データネットワーク１０４にトランスペアレントに確立され、すなわち、音声／データネットワーク１０４は、従来の基地トランシーバ局の扱う標準通信セッションと同じように、通信セッションのためにその標準インターフェースおよびプロトコルを用いる。例えば、ある実施例では、移動局１０２とＵＭＡ網制御装置１４０は、ロケーション・更新とサービス・リクエストを開始および転送するよう構成される。その結果、音声／データネットワーク１０４にとってトランスペアレントなサービスの継ぎ目の無いハンドオフのためのプロトコルが容易化される。これにより、例えば、免許要無線サービスと免許不要無線サービスの両方で、単一の電話番号を用いることができる。さらに、本発明により、従来は免許要無線サービスを通じてのみ提供されていた広範囲なサービスを、免許不要無線サービスを通じて提供することができる。そのため、ユーザは、従来の電話サービスへもアクセスしながら、広帯域の免許不要無線サービスがサービス提供する範囲内に移動局が位置する時、潜在的により高い品質のサービスの利点を得ることになる。
【００７９】
免許要無線サービスは、音声／データネットワーク１０４について定義されたＢＳＳインターフェース・プロトコル１２６を持つあらゆる免許要無線サービスからなる。一実施例では、免許要無線サービスはＧＳＭ／ＧＰＲＳ無線アクセス・ネットワークであるが、本発明の実施例は、他の免許要無線サービスを含むことが理解される。本実施例については、ＵＭＡ網制御装置１４０は、標準ＧＳＭ  ＢＳＳネットワーク要素が用いる同じ基地局コントローラ・インターフェース１２６を介してＧＳＭコアネットワーク（中核網）と相互接続する。例えば、ＧＳＭ適用では、これらインターフェースは、回線交換音声サービスのためのＧＳＭ  Ａインターフェースと、パケット・データ・サービス（ＧＰＲＳ）のためのＧＳＭ  Ｇｂインターフェースである。本発明のＵＭＴＳ（ユニバーサル・モバイル・テレコミュニケーション・システム）適用では、ＵＭＡ網制御装置１４０は、回線交換音声サービスにはＵＭＴＳ  Ｉｕ−ｃｓインターフェースと、パケット・データ・サービスにはＵＭＴＳ  Ｉｕ−ｐｓインターフェースを用いてＵＭＴＳネットワークと相互接続する。本発明のＣＤＭＡ適用では、ＵＭＡ網制御装置１４０は、回線交換音声サービスにはＣＤＭＡ  Ａ１およびＡ２インターフェースと、パケット・データ・サービスにはＣＤＭＡ  Ａ１０およびＡ１１を用いてＣＤＭＡネットワークと相互接続する。
【００８０】
ＧＳＭ／ＧＰＲＳ実施例では、ＵＭＡ網制御装置１４０は、ＧＳＭ  ＢＳＳネットワーク要素としてＧＳＭ／ＧＰＲＳコアネットワークに出現し、そのように管理および動作される。この構成では、トランザクション制御（通話処理等）の主要要素は、上位のネットワーク要素、すなわち、移動局交換基地１１０ビジター・ロケーション・レジスタ（ＶＬＲ）とＳＧＳＮ１１４とによって提供される。許可された移動局は、ＡＰ１２８のサービスエリア外にある場合はＧＳＭ無線アクセス・ネットワークを介して直接、または、ＡＰのサービスエリア内にある場合はＵＭＡネットワークシステムを介して、ＧＳＭ／ＧＰＲＳコアネットワークにアクセスすることができる。
【００８１】
ＵＭＡ構成１００のホストする通信セッションは、音声ネットワーク１１２またはデータネットワーク１１６に対してトランスペアレントであるため免許不要無線サービスは、無線サービス・プロバイダによって一般に提供されるすべてのユーザサービスに対応することができる。ＧＳＭの場合、これは一般に次の基本サービスを含む。テレフォニー、緊急通話（北米ではＥ９１１等）、ショート伝文、モバイル・ターミネーテッド・ポイントツーポイント（ＭＴ／ＰＰ）、ショート伝文、モバイル・オリジネーテッド・ポイントツーポイント（ＭＯ／ＰＰ）、ＧＰＲＳ帯載サービス、およびセル引継ぎ（屋外から屋内、屋内から屋外、音声、データ、ＳＭＳ、ＳＳ）。さらに、ＧＳＭは、当業で周知の各種補完的サービスにも対応することができる。
【００８２】
図２Ａは、Ｂｌｕｅｔｏｏｔｈシグナリングを介して免許不要無線リンクを提供する移動局１０２の一実施例のレベル１、レベル２、レベル３、ＧＳＭ関連プロトコル・構成の全体図である。図示の通り、ＧＳＭ  ＲＲエンティティ２０２と、ＵＭＡ−ＲＲエンティティ２０４の２つの論理無線リソース（ＲＲ）管理エンティティがある。プロトコル・構成は、ＧＳＭベースバンドのレベル１層２０６、ＧＳＭレベル２のリンク層（ＬＡＰＤｍ）２０８、Ｂｌｕｅｔｏｏｔｈベースバンドのレベル１層２１０、レイヤ２接続アクセス手順（Ｌ２ＣＡＰ）層２１２とＢＮＥＰ層２１３とを含むＢｌｕｅｔｏｏｔｈレベル２層２１１、アクセス・モード・スイッチ２１４、上位層プロトコル２１６を含む。移動局がＵＭＡモードで動作している時、ＵＭＡ−ＲＲエンティティ２０４が、指定のサービス・アクセス・ポイント（ＲＲ−ＳＡＰ）を介して移動性管理（ＭＭ）サブ層にサービスを提供する現在の「サービング」ＲＲである。ＧＳＭ  ＲＲエンティティは、このモードではＭＭサブ層から離れている。ＵＭＡ−ＲＲエンティティ２０４は新しい機能セットを提供し、複数のタスクに責任を負う。まず、ＵＭＡ−ＲＲエンティティは、ＵＭＡカバレッジの発見とＵＭＡ登録に責任を負う。第２に、ＵＭＡ−ＲＲエンティティは、ＧＳＭ  ＲＲ層のエミュレーションに責任を負い、期待されるサービス、すなわち、ＲＲ接続の作成、維持および引き離しをＭＭ層に提供する。ＲＲ−ＳＡＰについて定義された既存のＧＳＭ０４．０７プリミティブすべてが適用される。ＵＭＡ−ＲＲエンティティ２０４のプラグインは、このように上位層プロトコルにトランスペアレントに行われる。第３に、ＵＭＡ−ＲＲエンティティ２０４モジュールは、ＧＳＭ  ＲＲエンティティと調整して、上述の出願第１０／６８８４７０号に詳述するように、アクセスモードの切り替えおよびセル引継ぎを管理する責任を負う。
【００８３】
図２Ｂは、情報要素ＥＥ８０２．１１シグナリングを介して免許不要無線リンクを提供する移動局１０２の一実施例のレベル１、レベル２およびレベル３のＧＳＭ関連プロトコル・構成の全体図である。エンティティおよび層のすべては、図２Ａについて前述したものと同じだが、Ｂｌｕｅｔｏｏｔｈ層が８０２．１１ＰＨＹ層２１８と、８０２．１１ＭＡＣ層２２０とに入れ替わっている。
【００８４】
図３Ａは、一実施例に従い、回線交換（ＣＳ）ドメイン・シグナリングとＵＭＡ固有シグナリングをサポートするＵｐインターフェース・プロトコル・構成を示す。移動局交換基地サブ層は、伝文転送部（ＭＴＰ）インターフェースＭＴＰ１  ３０２、ＭＴＰ２  ３０４、ＭＴＰ３  ３０６、シグナリング接続制御部（ＳＣＣＰ）３０８、基地局システムアプリケーション部（ＢＳＳＡＰ）３１０、移動性管理インターフェース３１２、接続管理インターフェース３１４について当業で周知の従来の機能である。
【００８５】
ＵＭＡ−ＲＲプロトコルは、移動局１０２とＵＭＡ網制御装置１４０のそれぞれが提供するＵＭＡ−ＲＲ層２０４を介してＵＭＡ「レイヤ３」シグナリング機能をサポートする。ＢＳＣのように動作するＵＭＡ網制御装置１４０は、ＵＭＡ−ＲＲプロトコル伝文を終結し、これら伝文とＡインターフェース伝文  との間の相互作業に責任を負う。
【００８６】
移動局１０４とＵＭＡ網制御装置１４０のそれぞれのＵＭＡ−ＲＲ層２０４下の層は、ＴＣＰ層３１６、リモートＩＰ層３１８、ＩＰＳｅｃ（ＩＰセキュリティ）層３２０を含む。オプションとして、ＴＣＰ／ＩＰ（図示せず）で走る標準セキュア・ソケット・レイヤ（ＳＳＬ）プロトコルをＩＰＳｅｃ層３２０の代わりの配備することができる。
【００８７】
移動局１０２とＵＭＡ網制御装置１４０との間の下位レベルＩＰ接続性は、介入アクセス・ポイント１２８とブロードバンドＩＰネットワーク１３８（すなわち、図１Ａに示すアクセス・ネットワーク１３８）のホストする適切な層によってサポートされる。ＩＰトランスポート層（すなわち、７層ＯＳＩモデル下の従来のネットワーク層３）をサポートする構成要素は、移動局１０４と、ＡＰ１２８と、ＩＰネットワーク１３８のそれぞれについてトランスポートＩＰ層３２２と、ＵＭＡ網制御装置１４０のＩＰ層３２２Ａを含む。
【００８８】
最下位層（すなわち、物理層およびデータリンク層）では、移動局１０４とＡＰ１２８が、免許不要下位層３２４を提供するとして描かれる一方、ＡＰ１２８、ＩＰネットワーク１３８、ＵＭＡ網制御装置１４０のそれぞれは、適切なアクセス層３２６を提供する。一般に、アクセス層３２６は従来のイーサネットＰＨＹ層およびＭＡＣ層（情報要素ＥＥ８０２．３）を含むが、これは限定的ではない。
【００８９】
図３Ａおよび図３Ｂに示すように、免許不要下位層３２４は、免許不要無線リンクが、Ｂｌｕｅｔｏｏｔｈシグナリングであるか、情報要素ＥＥ８０２．１１シグナリングであるかに依存する。図３Ｂに示すＢｌｕｅｔｏｏｔｈ下位層は、図２Ａの移動局構成に対応し、Ｂｌｕｅｔｏｏｔｈベースバンド層２１０と、Ｌ２ＣＡＰ層２１２と、ＢＮＥＰ層２１３とを含む。一方、図３Ｃに示す８０１．１１下位層は、図２Ｂの移動局構成に対応し、８０２．１１ＰＨＹ層２１８と、８０２．１１ＭＡＣ層２２０を含む。
【００９０】
図３Ｄは、一実施例によるＧＳＭ音声送信をサポートするＵｐ  ＣＳドメイン音声帯載・プロトコル・構成を示す。図３Ｄおよび図３Ｃの構成に共通する同様の名称および参照される構成要素に加えて、ＧＳＭ音声送信をサポートする機能が設けられる。移動局交換基地１１０については、これら構成要素は、ＧＳＭ音声送信をサポートする従来の構成要素を含み、物理層３３０およびオーディオ３３２として描かれ、同様の構成要素がＵＭＡ網制御装置１４０に配備される。移動局１０２とＵＭＡ網制御装置１４０のそれぞれはここで、ＧＥＲＡＮ（ＧＳＭエッジ無線アクセス・ネットワーク）コーデック３３４とＲＴＰ／ＵＤＰ層３３６とを含む。
【００９１】
図３Ｄの構成においては、オーディオはＲＦＣ３２６７およびＲＦＣ３５５１に定義のＲＴＰフレーミング・形式にしたがってＵｐインターフェースを流れる。ＵＭＡモードで動作する場合、ＴＳ２６．１０３に指定するＡＭＲ  ＦＲのサポートに対応する。Ｇ．７１１等の他のコーデックもサポートする。
【００９２】
図３Ｅは、一実施例によるＵｐ  ＧＲＰＳユーザ・プレーン・プロトコル・構成を示す。Ｕｐ  ＧＰＲＳユーザ・プレーン・プロトコル・構成は、免許不要スペクトルを利用したＵＭＡ網制御装置１４０を介したＧＰＲＳシグナリングとデータパケットのトンネリングを有効に可能にするため、移動局１０２とＳＧＳＮ１１８の間のパケット交換トラフィックのためのトンネリング機能をサポートする。
【００９３】
図３Ｅに示すように、ＵＭＡ網制御装置１４０とＳＧＳＮ１１４はそれぞれ、ＧＰＲＳシグナリングおよびデータパケットをサポートする従来の機能に対応し、物理層３５０、ネットワーク・サービス層３５２、ＢＳＳＧＰ層３５４を含む。移動局１０２とＵＭＡ網制御装置１４０はそれぞれ、ＵＤＰ層３５６とＵＭＡ−ＲＬＣ層３５８を含む。移動局１０２とＳＧＳＮのそれぞれは、ＬＬＣ層３６０とＳＮＤＣＰ層３６２を含む。移動局１０２はＩＰ層３６４も含む。
【００９４】
図３Ｅの構成では、データを搬送するＧＰＲＳ  ＬＬＣ  ＰＤＵ、および上位プロトコルは、移動局１０２とＳＧＳＮ１１４との間でトランスペアレントに搬送される。これによって、移動局は、ＧＥＲＡＮ  ＢＳＳにおいてと同じ方法かのようにすべてのＧＰＲＳサービスを導くことができる。移動局１０２の既存のすべてのＧＰＲＳアプリケーションおよびＭＭＩは変化しない。ＬＬＣ  ＰＤＵは、移動局１０２からＵＭＡ網制御装置１４０へＵＭＣ−ＲＬＣ層３５８で搬送され、ＵＭＡ網制御装置１４０はＢＳＳＧＰ伝文を用いてＳＧＳＮ１１４へＰＤＵを中継する。ＵＭＡ−ＲＬＣ層３５８は、ＵＤＰ層３５６上を直接走り、ＩＰ帯載・サービスを利用する。
【００９５】
図３Ｆは、一実施例によるＧＰＲＳシグナリングに対応するＵｐプロトコル・構成を示す。この構成では、上位プロトコル（上位層３６６を含む）でのシグナリングのためのＧＰＲＳ  ＬＬＣ  ＰＤＵが移動局１０２とＳＧＳＮ１１４との間でトランスペアレントに搬送される。これによって、移動局はＧＥＲＡＮ  ＢＳＳに接続されているかのように同じ方法ですべてのＧＰＲＳサービスを取得することができる。ＧＰＲＳ−ＲＬＣプロトコルは、（上位層の視点で）同等なＵＭＡ−ＲＬＣプロトコルと置き換えられる。ＴＣＰ層３５７によって信頼性を確保する。ＧＥＲＡＮ  ＢＳＳ同様、ＢＳＣとして動作するＵＭＡ網制御装置は、ＵＭＡ−ＲＬＣプロトコルを終結し、ＢＳＳＧＰを用いてＧｂインターフェースにインターワークする。
【００９６】
前述のように、移動局は、例えば無線電話、スマートフォン、携帯端末、またはモバイルコンピュータである。移動局はまた、総合デジタル通信網（ＩＳＤＮ）またはアナログ音声通話サービス（ＰＯＴＳ）端末を無線システムに接続するための端末アダプタ機能セットを提供する固定無線装置でよい。
【００９７】
上記に一覧した以外の端末アダプタを本発明の実施例に採用することができる。例えば、（１）ＰＯＴＳ電話以外のコードレス電話をサポートする端末アダプタ、（２）セッション開始プロトコル（ＳＩＰ）電話をサポートする端末アダプタ、および（３）コード付きハンドセットと、デスク電話等のユーザインターフェースも一体化する端末アダプタがある。それぞれについて、本書で記載する発明は、これら端末アダプタ機能を、免許不要ネットワークを介して無線システムに接続できる方法について記述する。
【００９８】
他の標準Ｂｌｕｅｔｏｏｔｈ機能と本発明の実施例を共に用いることが可能である。例えば、１個のＢｌｕｅｔｏｏｔｈ装置（自動車の埋め込み式携帯電話サブシステム等）が、別のＢｌｕｅｔｏｏｔｈ装置（ユーザの通常の携帯電話）にあるＳＩＭにアクセスできるようにする「ＳＩＭアクセス・プロファイル」と呼ばれるＢｌｕｅｔｏｏｔｈ標準機能があり、第１の装置がＳＩＭ（すなわち、ユーザの通常の通話電話のもの）と関連した「パーソナリティ」を取得することができる。上記実施例は、端末アダプタ取り付け装置（ＰＯＴＳ電話等）にユーザの携帯電話のパーソナリティを与えるため、この標準機能を利用することができる。
移動管理
【００９９】
ＵＭＡ網制御装置１４０は、ＧＳＭ  ＢＳＣと同等の機能を提供し、１個以上の（バーチャルな）ＵＭＡセルを制御する。一実施例では、ＵＭＡ網制御装置あたり単一のＵＭＡセル、別の実施例では、ＵＭＡ網制御装置に接続されたアクセス・ポイントあたり１個のＵＭＡセルである。利用が期待されるＡＰが多数になる後者の実施例はあまり望ましくないため、ＵＭＡ構成は、ＵＭＡセルへのＡＰの柔軟なグルーピングを許可する。各ＵＭＡセルはセル・グローバル識別子（ＣＧＩ）によって識別され、未使用の絶対無線周波数チャンネル番号（ＡＲＦＣＮ）が各ＵＭＡセルに割り当てられる。各ＵＭＡセルは、移動局交換基地がサービスを提供する特定のＧＳＭロケーション・エリアに関連させることによって物理的境界にマッピングすることができる。ＵＭＡセルにマッピングされたロケーション・エリア内のＧＳＭセルは、そのＵＭＡセルについてＡＲＦＣＮからＣＧＩへのマッピングで構成される。さらに、このＡＲＦＣＮは、ＧＳＭセルによるＢＡリストに広告してセル引継ぎを許可することができる。ＵＭＡセルは、既存ＧＳＭセルと同じロケーション・エリア識別子（ＬＡＩ）、あるいは、ＵＭＡセルについて新しいＬＡＩを用いることができる。移動局がＩＮＣを介して登録が周知である場合、後者はＧＳＭセルでの呼要求を減らすのに有益である。上記は、ＧＰＲＳルーチング・エリアとルーチング・エリア識別子（ＲＡＩ）に同様にあてはまる。
ＵＭＡ  ＣＰＥアドレス指定
【０１００】
顧客構内設備（ＣＰＥ）は、移動局とアクセス・ポイント（ＡＰ）とを含み、これを介して移動局がＵＭＡサービスのためにＵＭＡ網制御装置にアクセスできることができる。ＵＭＡ  ＣＰＥアドレス指定パラメータは、下記に記載するパラメータを含むことができる。
【０１０１】
ＵＭＡ  ＣＰＥアドレス指定は、パラメータとしてモバイル設備のＳＩＭと関連する国際モバイル加入者アイデンティティ（ＩＭＳＩ）を含む。ＩＭＳＩは、Ｕｐインターフェースを介してＵＭＡ網制御装置にＵＭＡサービスを要求した時、ＵＭＡ移動局によってＵＭＡ網制御装置に与えられる。ＧＳＭ  ＢＳＣと異なり、ＵＭＡ網制御装置はＵＭＡモードで動作する各移動局についてコンテキストを管理する。そのため、ＵＭＡ網制御装置は各サービス対象移動局の記録を保持する。例えば、ＩＭＳＩをＵＭＡ網制御装置が用いて、ＵＭＡ網制御装置がＢＳＳＭＡＰ呼要求  を受信した時、適切な移動局の記録を探すことができる。
【０１０２】
ＵＭＡ  ＣＰＥアドレス指定は、パラメータとしてモバイル設備の免許不要インターフェースと関連するアドレス（８０２．１１ＭＡＣアドレス等）を含む。この識別子は、ＵＭＡ網制御装置がＵｐインターフェースを介してＵＭＡサービスを要求した時、ＵＭＡ移動局によってＵＭＡ網制御装置に与えられる。ＵＭＡ網制御装置は、このアドレスをＩＭＳＩの代替として用いて、Ｕｐインターフェース上のＩＭＳＩの転送を限定したり、伝文  のルーチングを支援することができる。
【０１０３】
ＵＭＡ  ＣＰＥアドレス指定はまた、パラメータとしてサービングＧＰＲＳサポート・ノード（ＳＧＳＮ）によって移動局に割り当てられた一時的論理リンク識別子（ＴＬＬＩ）を含む。この識別子は、標準Ｇｂインターフェース手順を介して与えられる。ＵＭＡ網制御装置は、各サービス対象移動局についてこのアドレスを追跡して、ＧＳＭのＧｂインターフェース手順を（ダウンリンクＧＰＲＳパケットが正しい移動局にルーチングされるよう）サポートすることができる。
【０１０４】
ＵＭＡ  ＣＰＥアドレス指定はまた、パラメータとしてアクセス・ポイントＩＤ（ＡＰ−ＩＤ）を含む。ＡＰ−ＩＤは、移動局がそこを通じてＵＭＡサービスにアクセスしている免許不要モードアクセス・ポイントのＭＡＣアドレスでよい。この識別子は、ＵＭＡ網制御装置がＵｐインターフェースを介してＵＭＡサービスを要求した時、ＵＭＡ移動局によってＵＭＡ網制御装置に与えられる。ＡＰ−ＩＤは、サービスにアクセスしているＡＰに基づき、ＵＭＡ網制御装置がユーザへのロケーションサービス（強化９１１サービス等）に対応するために用いることができる。ＡＰ−ＩＤはまた、サービス・プロバイダが用いて、ＵＭＡサービスへアクセスを許可されたＡＰのみに制約することができる。
【０１０５】
利用可能な他のＣＰＥアドレス指定パラメータは、Ｕｐインターフェースのセキュリティ要件で決まる（トンネリングしたＩＰＳｅｃ接続を介して伝文ルーチングのためＵＭＡ移動局ＩＰアドレスを管理する必要、または、ＵＭＡ網制御装置によって移動局に割り当てられたローカル証明書を管理する必要等）。
ＵＭＡセル識別
【０１０６】
ＧＳＭ／ＧＰＲＳでの移動管理機能を容易にするため、カバレッジ・エリアを、ロケーション・エリア（ＧＳＭ）およびルーチング・エリア（ＧＰＲＳ）と呼ばれる論理登録エリアに分けることができる。移動局は、サービス提供するロケーション・エリア（またはルーチング・エリア）が変わるたびにネットワークに登録する必要がある。１以上のロケーション・エリア識別子（ＬＡＩ）を、キャリアのネットワークの各ビジテッド・ロケーション・レジスタ（ＶＬＲ）と関連させることができる。同様に、１以上のルーチング・エリア識別子（ＲＡＩ）を単一のＳＧＳＮで制御することができる。
【０１０７】
一実施例では、ＧＳＭセルは、ロケーションまたはルーチング・エリア識別にセルアイデンティティ（ＣＩ）を付加することによりロケーションまたはルーチング・エリア内で識別する。セル・グローバル識別（ＣＧＩ）は、ロケーション・エリア識別とセル・アイデンティティの連結である。一実施例では、セル・アイデンティティはロケーション・エリア内で一意である。
セル識別へのＵＭＡアプローチ例
【０１０８】
ＵＭＡセル識別アプローチの一例を以下に述べる。この実施例では、単一のＵＭＡ網制御装置が１以上のＵＭＡロケーション・エリアおよび１以上のＵＭＡルーチング・エリアにサービスを提供し、各ＵＭＡロケーション・エリア（またはルーチング・エリア）は、オーバラップするＧＳＭセルのロケーション・エリア（またはルーチング・エリア）と異なるか、または同一である。ＵＭＡセルは、セル・アイデンティティ（ＣＩ）をロケーションまたはルーチング・エリア識別に付加することにより、ＵＭＡロケーションまたはルーチング・エリア内で識別される。ＵＭＡセル・グローバル識別（ＵＭＡ−ＣＧＩ）は、ロケーション・エリア識別とセル・アイデンティティの連結である。一実施例では、ＵＭＡセルは、ＵＭＡ−ＣＧＩ値によって識別されるＵＭＡカバレッジ・エリア全体の予め定義されたパーティションである。セル識別は、ＵＭＡ情報同様、ＡＰが関連するＵＭＡ−ＣＧＩ値を意識しないよう、ＡＰに対してトランスペアレントでよいことに注意する。ＵＭＡ構成要素（移動局やＵＭＡ網制御装置）は、ＵＭＡカバレッジ・エリア全体をパーティションする能力をサポートする。
【０１０９】
パーティション方法は、ＧＳＭセル・アイデンティティとＵＭＡセル・アイデンティティの間の１対１または多対１対応の実装を含むことができる。特定のエリアでの優先ＧＳＭセルの識別を考えると、例えばＵＭＡ網制御装置プロビジョニングに基づき対応するＵＭＡセル・アイデンティティを決定することができる。１対１関係の例は、ＵＭＡセルへのＧＳＭセルのマッピングである。多対１関係の一例は、ＵＭＡセルへのＧＳＭロケーション・エリア（および関連するＧＳＭセル）のマッピングである。
【０１１０】
ＵＭＡ移動局がＵＭＡサービスのためＵＭＡ網制御装置に接続すると、これは、ＣＧＩ値と、（任意で）現在のＧＳＭキャンピングセルと、ネイバーセルのパス・ロス基準パラメータ（Ｃ１）をＵＭＡ網制御装置に送信する。ＵＭＡ網制御装置は、ＵＭＡ網制御装置にプロビジョンされたマッピングロジックに基づき、対応するＵＭＡセルのＣＧＩ値にＧＳＭキャンピングセルのＣＧＩ値をマッピングする。これは、１対１のマッピング（ＧＳＭセルあたり１個のＵＭＡセルの場合）または多対１のマッピング（ＧＳＭロケーション・エリアあたり１個のＵＭＡセルの場合）の場合がある。ＵＭＡサービスエリアにＧＳＭカバレッジが１つもない場合、ＵＭＡ網制御装置はデフォルトの「ＧＳＭカバレッジなし」ＵＭＡセルに移動局を割り当てる。単一ＵＭＡ網制御装置が１個の移動局交換基地にサービスを提供することができる。これは、前述のように、単一装置で複数のＵＭＡ網制御装置「インスタンス」を組み合わせるＵＭＡ網制御装置実施例を排除しない（多数の移動局交換基地にサービスを提供するＵＭＡ網制御装置等）。各ＵＭＡ網制御装置はまた、ＧＳＭからＵＭＡへのセル引継ぎに用いる一意の「ＵＭＡセル引継ぎＣＧＩ」値を割り当てられる。例えば、これはＧＳＭ  ＲＡＮ  ＢＳＣのＡＲＦＣＮからＣＧＩへの表および移動局交換基地（ＵＭＡ網制御装置を指す）で与えられる値でよい。
ＵＭＡ動作構成
【０１１１】
一実施例では、少なくとも３つのＵＭＡ動作構成が識別される。共通するコア構成では、ＵＭＡ  ＬＡＩとアンブレラＧＳＭ  ＲＡＮ  ＬＡＩ（加入者の近隣へのサービス提供等）は異なることがあり、ネットワークは、同一のコアネットワーク・エンティティ（ＮＳＣとＳＧＳＮ等）がＵＭＡセルとアンブレラＧＳＭセルの両方にサービス提供するよう構築される。この構成の利点は、ＵＭＡ動作領域とＧＳＭ動作領域間の加入者の移動によって、システム間（ＭＡＰ等）シグナリングが生じないことである（位置再確認とセル引継ぎは移動局交換基地内）。
【０１１２】
別個コア構成では、ＵＭＡ  ＬＡＩとアンブレラＧＳＭ  ＲＡＮ  ＬＡＩは異なり、ネットワークは、異なるコアネットワーク・エンティティがＵＭＡセルとアンブレラＧＳＭセルにサービス提供するよう構築される。この構成の利点は、ＵＭＡとＧＳＭネットワークの構築が、共通コア構成よりも独立できる点である。
【０１１３】
共通ＬＡＩ構成では、ＵＭＡ  ＬＡＩおよびＧＳＭ  ＲＡＮ  ＬＡＩは同一である（同じＬＡＩ内に異なるセル）。この構成の利点は、ＵＭＡカバレッジ・エリアとＧＳＭカバレッジ・エリアの間の（アイドル中の）加入者の移動によって、ロケーション・更新・シグナリングが生じず、ＵＭＡモードリソースが一時的に利用不可能な場合（呼要求への応答等）、移動局がＧＳＭモードに容易に切り替わることができる点である。この詳細および前述の別個コア構成については、出願第１０／６８８４７０号に記載される。
ＵＭＡ登録および登録取り消し
【０１１４】
一実施例では、前述のように、ＵＭＡ登録プロセスはＰＬＭＮインフラへのシグナリングを採用せず、ＵＭＡシステム内に入っている（すなわち、移動局とＵＭＡ網制御装置間）。ＵＭＡ登録プロセスは少なくとも２つの目的を果たす。移動局が特定のＡＰを通じて接続され、特定のＩＰアドレスで利用可能であることをＵＭＡ網制御装置に通知することができる。ＵＭＡ網制御装置は、この情報を、例えばモバイル・ターミネーテッド通話について追跡する。登録プロセスはまた、ＡＰにおけるＵＭＡサービスに関連する動作パラメータを移動局に与えることができる。これは、ＧＳＭセルで移動局にシステムパラメータを送信するＧＳＭブロードキャスト制御チャンネル（ＢＣＣＨ）の利用に類似する。ＵＭＡモードに適用可能なＧＳＭシステム情報伝文の内容は、ＵＭＡ登録プロセス中、移動局に配信される。
【０１１５】
同様に、ＵＭＡ登録取り消しプロセスによって、移動局はそれがＵＭＡモードを出ることを明示的にＵＭＡ網制御装置に知らせることができ、ＵＭＡ網制御装置は移動局に割り当てられた可能性のあるリソースを解放することができる。ＵＭＡ網制御装置はまた、移動局へのセキュアなチャンネルが突然終結される暗示的なＵＭＡ登録取り消しをサポートする。
ＵＭＡリダイレクト
【０１１６】
一実施例では、前述のように、ＵＭＡ移動局がＵＭＡサービスのためにＵＭＡ網制御装置に接続すると、これは現在のＧＳＭキャンピングセルとネイバーセルのＣＧＩ値とパス・ロス基準パラメータ（Ｃ１）をＵＭＡ網制御装置に送信する。この情報と、内部データベース情報を用いて、ＵＭＡ網制御装置はこれが移動局の正しいサービングＵＭＡ網制御装置であるか否か判断することができ、正しいサービングＵＭＡ網制御装置でない場合、正しいＵＭＡ網制御装置に移動局をリダイレクトすることができる。正しいサービングＵＭＡ網制御装置は、そのＵＭＡサービスエリアが移動局のアンブレラＧＳＭカバレッジと重なるＵＭＡ網制御装置でよい。一実施例では、正しいサービングＵＭＡ網制御装置は、アンブレラＧＳＭセルが属するＧＳＭ  ＢＳＣと同じ移動局Ｃに帰属する。別の実施例では、正しいサービングＵＭＡ網制御装置は、移動局にアンブレラＧＳＭカバレッジを提供する移動局Ｃにセル引継ぎする別の移動局Ｃに帰属し、ＵＭＡ網制御装置がＧＳＭとコールをセル引継ぎできるようにする。ＧＳＭセルのロケーションに結びつけることのできる一部ロケーションベースのサービス（Ｅ９１１フェーズ１等）も使用可能にできる。ＵＭＡ網制御装置の用いる内部データベースは、サービングＵＭＡ網制御装置にＧＳＭロケーション・エリアをマッピングし、管理する必要のあるデータ量を保全することができる。このデータベースは、新しいＵＭＡ網制御装置または新しいＧＳＭロケーション・エリアが付加された時にのみ変更すればよい。
【０１１７】
移動局がＵＭＡサービスのためにＵＭＡ網制御装置に接続した時、ＧＳＭカバレッジが利用不可能であった場合、インスタンスによっては、ＵＭＡ網制御装置は正しいサービングＵＭＡ網制御装置に移動局を割り当て目的で（セル引継ぎとロケーションベースサービスを可能にする等）移動局の位置を信頼性高く決定できない場合がある。ＵＭＡ網制御装置は、この場合、オペレータがサービスポリシーを決定することを許可する（オペレータは、移動局のユーザインターフェース表示によって、ユーザに一定の制限付きサービスを提供することができる等）。ＵＭＡ登録およびリダイレクト手順のさらなる詳細については後述する。
ＵＭＡ移動局アイドルモード行動
【０１１８】
前述のように、ＵＭＡ装置は、図４に示すような異なる無線環境に遭遇することがある。第１の環境では、ＧＳＭとＵＭＡのカバレッジ・エリアは完全に別個で重なり合わない。第２の実施例では、ＧＳＭとＵＭＡのカバレッジは部分的に重なり合う。第３の実施例では最も一般的なもので、ＵＭＡカバレッジはＧＳＭカバレッジ内に包含される。ＵＭＡ装置は、これら環境のいずれでもパワーオンされ、さらに多くの帰属状態で遷移する。
【０１１９】
パワーオン時で、移動局がアイドルでいかなる種類のカバレッジもない時、移動局はＧＳＭおよびＵＭＡ無線カバレッジ両方をスキャンする。ＧＳＭカバレッジが検出されると、通常のＧＳＭ移動性管理手順が開始される。この条件は、ＧＳＭカバレッジが検出された時ＵＭＡカバレッジが移動局によって検出されない場合、またはＵＭＡ登録プロセス完了前にあてはまる。ＵＭＡカバレッジが検出されると、ＵＭＡ移動局は、ＡＰへの免許不要無線リンク（ＷＬＡＮリンク等）を確立し、信号品質をモニタする。移動局で受信した信号レベルが予め定義された閾値を超えると、移動局はＵＭＡ登録手順を実行する。返された情報に基づき、移動局は、フルネットワーク登録が必要か否か、必要な場合、どの種類（ＧＳＭかＧＳＭ／ＧＰＲＳの組み合わせか）を判断する。この手順は、ＧＳＭカバレッジが存在しない場合、またはＧＳＭカバレッジ検出前にＵＭＡカバレッジが検出された場合にあてはまる。
【０１２０】
移動局がＧＳＭカバレッジ中でアイドルの時で、ＵＭＡカバレッジがない場合、移動局はＵＭＡカバレッジを定期的にスキャンする。ＵＭＡカバレッジが検出されると、移動局は前述のＵＭＡ登録手順を開始する。
【０１２１】
移動局がＵＭＡカバレッジ中でアイドルであり、ＧＳＭカバレッジがない場合、移動局は通常のＧＳＭ  ＰＬＭＮサーチ手順の実行を続ける。ＧＳＭカバレッジが検出されると、移動局は、前述のように可能なＵＭＡリダイレクトを求めて、ＵＭＡ網制御装置にＧＳＭセル情報を送ることができる。あるいは、移動局は、電力節減のため通常のＧＳＭ  ＰＬＭＮサーチ手順を使用禁止にすることができる。
【０１２２】
移動局がＵＭＡカバレッジ中でアイドルであり、ＧＳＭカバレッジがある場合、移動局は通常のＧＳＭセル再選択手順の実行に進み、必要な場合は、ＧＳＭモードへの遷移速度を上げるため、選択したＧＳＭセルの識別を保存することができる。あるいは、移動局は電力節減のため通常のＧＳＭセル再選択手順を使用禁止にすることができる。
【０１２３】
ＵＭＡカバレッジ中でパワーオフの時、移動局がＰＬＭＮにＵＭＡＮを介してデタッチ表示を送ることができる（ＰＬＭＮネットワークで必要か、あるいはパワーオフに移動局が通常送る場合等）。この表示は、動作の現在のＧＳＭモード毎にエンコーディングされる（ＧＳＭまたはＧＰＲＳ）。
【０１２４】
ＵＭＡ環境は、情報要素ＥＥ  ８０２．１１環境でもよい。この場合、移動局は利用可能な８０２．１１ＡＰについてアクティブなスキャンを定期的に実行する。ＡＰが発見されたら、保存されたユーザの好みのプロファイルやセキュリティ証明書と照合され、その場合、移動局は自動的にＡＰと関連付けられる。移動局は、低電力スリープモードに入り、定期的にウェイクアップして、ＵＭＡ登録をトリガする時を決定するため信号品質を測定する。
【０１２５】
ＵＭＡ環境は、Ｂｌｕｅｔｏｏｔｈ環境でもよい。この場合、移動局は、ＵＭＡサービスにアクセスするＢｌｕｅｔｏｏｔｈ  ＡＰを前もって一組になっている。移動局は定期的にページスキャン受信モードに入り、ＡＰ送信ページに応答して、リンクレベル接続を確立する。リンクレベル制御チャンネルが確立され、移動局がアクティブでなくなったら、低電力Ｂｌｕｅｔｏｏｔｈ状態（パークモード等）に入り、電力を節減することができる。ＡＰは定期的に移動局にポーリングして、アクティブ電力モードに再度入れるようにする。この定期的なトラフィックを移動局も利用して、ＵＭＡ登録手順を実行する時を決定するため信号品質を測定する。
ＵＭＡ移動局専用モードの行動
【０１２６】
音声通話、データトランザクションまたは同時音声／データトランザクションに利用されるＵＭＡ装置は、ＧＳＭカバレッジからＵＭＡカバレッジまたはＵＭＡカバレッジからＧＳＭカバレッジへの遷移に遭遇する場合がある。一実施例では、ＧＳＭからＵＭＡへカバレッジが遷移する時、通話は、ＧＳＭ  ＲＡＮとＵＭＡＮとの間でトランスペアレントにセル引継ぎされる。音声の場合、セル引継ぎはセル引継ぎ機能によって達成される。データの場合、セッション管理制御が、ＧＰＲＳと共通のエンドユーザ経験を与えることができる。通常の登録行為は、適宜、アイドル状態に戻った時に発生する。ＵＭＡからＧＳＭカバレッジへカバレッジが遷移する時、通話はＵＭＡＮとＧＳＭ  ＲＡＮとの間でトランスペアレントにセル引継ぎされる。音声の場合、セル引継ぎはセル引継ぎ機能によって達成される。データの場合、セッション管理制御が、ＰＲＳのものと共通のエンドユーザ経験を与えることができる。
重要移動性管理コンセプトのまとめ
【０１２７】
図５は、一実施例の移動性管理機能を示す。図５において、免許不要ネットワーク・コントローラＵＭＡ網制御装置−１は、ＧＳＭロケーション・エリアＬＡ−１１からＬＡ−２３に関連するＵＭＡセルについてサービングＵＭＡ網制御装置である。ＵＭＡ網制御装置−１は、ＧＳＭロケーション・エリアＬＡ−１ｘをＵＭＡセルＵＭＡ  ＣＧＩ−１０１へ、およびＧＳＭロケーション・エリアＬＡ−２ｘをＵＭＡ  ＣＧＩ−１０２へマッピングする免許不要ネットワーク・コントローラＵＭＡ網制御装置−３は、ロケーション・エリアＬＡ−３１からＬＡ−３３に関連するＵＭＡセルについてサービングＵＭＡ網制御装置である。ＵＭＡ網制御装置−３は、ＧＳＭロケーション・エリアＬＡ−３ｘをＵＭＡセルＵＭＡ  ＣＧＩ−３０１へマッピングする。移動局ＭＳ−１は、ＵＭＡセルＵＭＡ−ＣＧＩ−１０１に入る（ＧＳＭ  ＬＡ−１ｘがＵＭＡ−ＣＧＩ−１０１にマッピングされているため）。移動局ＭＳ−２は、ＵＭＡセルＵＭＡ−ＣＧＩ−１０２に入る（ＧＳＭ  ＬＡ−２ｘがＵＭＡ−ＣＧＩ−１０２にマッピングされているため）。移動局ＭＳ−３は、ＵＭＡセルＵＭＡ−ＣＧＩ−３０１に入る（ＧＳＭ  ＬＡ−３ｘがＵＭＡ−ＣＧＩ−３０１にマッピングされているため）。移動局ＭＳ−４がＵＭＡ網制御装置−１に接続されると、ＵＭＡセルＵＭＡ−ＣＧＩ−１９９に入る（ＧＳＭカバレッジなし）。移動局ＭＳ−４がＵＭＡ網制御装置−３に接続されると、ＵＭＺセルＵＭＺ−ＣＧＩ−３９９に入る（ＧＳＭカバレッジなし）。移動局ＭＳ−１およびＭＳ−２はリダイレクトなしにＵＭＡ網制御装置−１に接続できる。移動局ＭＳ−３がＵＭＡ網制御装置−１に接続しようとすると、ＵＭＡ網制御装置−３にリダイレクトされる。
ＵＭＡ無線リソース伝文と伝文形式
【０１２８】
本発明の様態に従い、ＵＭＡ無線リソース伝文と、移動局の移動性に対応し、これを管理する伝文形式の詳細について以下に述べる。各伝文の形式は例として示すもので、この形式は、特定の実施例に含まなければならないか、および／または含むことができる情報要素を単に示すものであり、情報要素の一部は任意である。
【０１２９】
ＵＭＡ−ＲＲ伝文は、ＴＣＰ接続を用いてＵｐインターフェースで運ばれる。ＵＭＡ−ＲＲ伝文形式は、ＧＳＭ０４．０７に定義される標準ＧＳＭレイヤ３伝文  構造に従う。各伝文は次の要素から構成される。
１．ＵＭＡ−ＲＲプロトコル判別子：ＧＳＭ  ＲＲプロトコルとの相互作用を容易にし、一実施例では、ＵＭＡ−ＲＲプロトコルはＧＳＭ  ＲＲと同じプロトコル判別子を再利用し、各ＵＭＡ−ＲＲ伝文の第１オクテットのビット３からビット０の０１１０の２進数列である。これは単なる例示であり、特定の実施例により、他の数列も使用可能である。
２．スキップ表示子：一実施例では、各ＵＭＡ−ＲＲ伝文の第１オクテットのビット５と８にスキップ表示子が含まれる。００００以外のスキップ表示子付きで受信したＵＭＡ−ＲＲ伝文は無視される。ＵＭＡ−ＲＲエンティティは、００００として常にスキップ表示子をエンコードする。
３．伝文タイプ：伝文タイプ情報要素とその利用法は、ＧＳＭ０４．０７に定義される。一実施例のＵＭＡ−ＲＲ伝文タイプは、以下の表１に一覧される。
４．ＵＭＡ−ＲＲ接続表示子（ＵＣＩ）：ＵＣＩを用いて、接続における次の伝文に対してＵＭＡ−ＲＲ接続における第１伝文を明示的に表示するために用いられる。これにより、移動局とＵＭＡ網制御装置がそれぞれのＵＭＡ−ＲＲ接続状態を同期させることができる。
ｉ．移動局は通常、ＵＣＩを「１」の値に設定し、その伝文が新しいＵＭＡ−ＲＲ接続における第１であることを示す。
ｉｉ．ただし、ＵＭＡ接続が緊急通話用である場合、移動局はＵＣＩを「９」の値に設定する。これにより、ＵＭＡ網制御装置は緊急通話関連のＵＭＡ−ＲＲ接続要求を優先することができる。
ｉｉｉ．ＵＭＡ−ＲＲ接続に関連するすべての他の伝文では、移動局はＵＣＩを「０」の値に設定する。
ｉｖ．例えば、移動局のＭＭサブ層が新しいＵＭＡ−ＲＲ接続を要求してから、ＣＭＳＥＲＶＩＣＥ−ＲＥＱＵＥＳＴ伝文を送信する場合、移動局のＵＭＡ−ＲＲエンティティはＵＣＩ＝１を設定する。ＭＭサブ層が既存のＵＭＡ−ＲＲ接続を再利用してＣＭＳＥＲＶＩＣＥ−ＲＥＱＵＥＳＴ伝文を送信する場合、移動局のＵＭＡ−ＲＲエンティティはＵＣＩ＝０を設定する。ＵＣＩを用いて、ＵＭＡ−ＲＲセッションのリソースの暗示的割り当てを示す。
５．必要に応じて、その他情報要素。
ｉ．プレゼンスコラムは、情報要素が必須（「Ｍ」）、任意（「Ｏ」）または条件付有り（「Ｃ」）のいずれであるかを示す。
ｉｉ．形式コラムは、情報要素の形式方法を示す。「ＴＬＶ」はタグ長さ値形式、「ＬＶ」は、長さ値、「Ｖ」は値のみである。情報要素のタグも、情報要素識別子（ＩＥＩ）として参照される。必須情報要素は、長さが固定か可変かによって、「Ｖ」または「ＬＶ」形式を用いる。任意または条件付情報要素は常に「ＴＬＶ」形式を用いる。
５．長さ表示子。一実施例では、別個の長さ表示子情報要素を用いてある伝文の長さを指定する。別の実施例では、基礎となるトランスポート層を用いて各伝文の長さ表示を行う。そのため、別個長さ表示子情報要素はこの伝文形式には含まれない。両タイプの形式を、本書に開示するＵＭＡ無線リソース伝文によって示す。
【表１】
2008500751.tif 000001
【０１３０】
図６Ａから図６Ｃは、各種登録シナリオにおいて、移動局とＵＭＡ網制御装置との間で（その間のＡＰ接続を介して）パスされる伝文のシーケンス例を示す。異なる要素の間でパスされる伝文と関連する信号を、関係する通信システムの要素に矢じりをつなげた水平の矢印で示す。矢印がある要素を通過し、矢じりが示されない場合、この要素は、通過として機能する。図６Ａから図６Ｃに関連する図１のシステム・構成の特定の要素は、左から右へ、移動局（移動局１０２）、アクセス・ポイント（ＷＬＡＮ  ＡＰ１２８）、第１ＵＭＡ網制御装置（１４０Ａ）および第２ＵＭＡ網制御装置（１４０Ｂ）である。
【０１３１】
登録プロセス前に、各種オペレーションを実行し、移動局１０２とＡＰ１２８との間に接続を確立してから、移動局１０２とＵＭＡ網制御装置１４０との間に接続を確立する。図６ＡのステップＡにおいて、移動局１０２はＡＰ１２８のカバレッジ範囲に入り、ＡＰと無線リンクを確立する。例えば、この無線リンクは、情報要素ＥＥ８０２．１１またはＢｌｕｅｔｏｏｔｈプロトコルによる免許不要周波数を用いたＷＬＡＮ接続でよい。ステップＢにおいて、移動局は接続を確立するためのＵＭＡ網制御装置を探す。これは、ＵＭＡ網制御装置のＤＮＳ（ドメイン・ネーム・システム）クエリを実行することによって行うことができる。これによって、第１ＵＭＡ網制御装置のＩＰアドレスとの接続を開始する。移動局は、利用した最後のＵＭＡ網制御装置  ＩＰアドレスであるから、デフォルトのＵＭＡ網制御装置であるから、または当初の登録のために移動局が割り当てられたホームＵＭＡ網制御装置であるから、またはＡＰおよびＣＧＩによってインデックスされた接続ＵＭＡ網制御装置のキャッシュから選んだものであるからという理由で、第１のＵＭＡ網制御装置を選択することができる。ステップＣにおいて、ＵＭＡ網制御装置と移動局はセキュアなＴＣＰ接続を確立する。移動局とＵＭＡ網制御装置との間のＩＰＳｅｃセキュリティ手順は、図６Ａから図６Ｃでは未知であることに注意する。
【０１３２】
ステップＤにおいて、移動局はＵＭＡ  ＵＭＡ無線リソース登録要求伝文６００として具現化される登録要求をＵＭＡ網制御装置に送信する。ＵＭＡ無線リソース登録要求伝文６００の一実施例を図７に示す。図解のため、本書に図示する各伝文形式は、情報要素Ｉ（情報要素識別子）コラム、情報要素コラム、タイプ／リファレンスコラム、プレゼンスコラム、形式コラム、長さコラム、値コラムを含む。実際の伝文は、それぞれの特定の伝文形式に従い、適切な情報要素値と共に伝文タイプを識別する値を含むことに注意する。また、本書に記載する伝文のそれぞれ同様、ＵＭＡ無線リソース登録要求伝文６００は、ＵＭＡ  ＲＲプロトコル判別子情報要素、スキップ・表示子情報要素、伝文タイプ情報要素（このインスタンスではＵＲ登録要求）およびＵＣＩ  情報要素を含む。本書においては、これら４つの情報要素は「基本的」情報要素として、各伝文形式に含まれることを示す。
【０１３３】
基本的情報要素に加えて、ＵＭＡ無線リソース登録要求伝文６００は移動局認証情報要素、ＧＳＭ  ＲＲ状態情報要素、ＧＰＲＳクラス・ケイパビリティ情報要素、セル識別子リスト情報要素、ＣＩリスト情報要素、ＡＰ識別子情報要素、ＡＰロケーション情報要素を含む。モバイル・アイデンティティ情報要素は必須で、Ｉ移動局ＩまたはＩ移動局Ｉが利用できない場合、ＩＭＥＩを利用する。ＧＳＭ  ＲＲ状態情報要素は、現在のＧＳＭ  ＲＲエンティティ状態を示すために含まれる。ＧＰＲＳクラス・ケイパビリティ情報要素は、移動局のＧＰＲＳクラス・ケイパビリティを示すために含まれる。セル識別子情報要素は、有効なＧＳＭセル情報がＵＭＡ  ＲＲエンティティにとって利用可能な場合に含まれる。この情報要素内では、セル識別判別子フィールドは、セル識別にセル・グローバル識別（ＣＧＩ）形式を用いることを示す００００とする。Ｃ１リスト情報要素は、「セル識別子リスト」情報要素が存在する場合にのみ存在する。これは、「セル識別子リスト」情報要素のそれぞれのセルのパス・ロス基準パラメータＣ１を含む。ＡＰ識別子情報要素は、移動局がＵＭＡ網制御装置に登録するＡＰの免許不要インターフェースのＭＡＣアドレスを含む。ＡＰロケーションが利用可能な場合、移動局は、住所、緯度、経度等、ＡＰロケーション情報要素を介してＡＰのロケーションを識別する対応情報を送ることができる。前記登録内容に加えて、ＵＭＡ無線リソース登録要求伝文はさらに、接続の理由と範囲内（図示せず）の送信基地局に関する情報を含むことができる。
【０１３４】
ＧＳＭシステムでは。この情報はＣｅｌｌ−ｉｎｆｏとラベル付けされ、ＣＧＩおよび（任意で）ＣＩ値を含む。一実施例では、単一ＣＧＩのみ移動局によって報告され、移動局がその通常のＧＳＭセル選択手順を用いて選択したＧＳＭセルを表す。この単一セルは、移動局によって「ベストな」ＧＳＭセルとして選択されたものである。一般に、このような値を開発するには、移動局は指定の周波数をスキャンしてブロードキャスト・チャンネル（ＢＣＨ）送信を見つける。ＢＣＨは送信基地局を識別し、ランダムアクセスと特定の基地局によって用いられるトラフィックに関する情報を含む。移動局は基地局アイデンティティを記録し、受信したＢＣＨ信号の品質を測定することができる。ＧＳＭシステムでは、ＲＸＬＥＶ（受信信号レベル）が一般に測定されるが、ＲＸＬＥＶの代わりに、あるいはこれに加えて、信号対ノイズ比やビットエラーレート、ＲＳＳＩ（受信信号強度表示子）および信号電波遅延等の他の品質を用いることができる。
【０１３５】
ＵＭＡ網制御装置は、ロケーションに関して受信した情報を評価し、移動局に適切なＵＭＡ網制御装置を選択する。移動局が同じＡＰに接続されている限りこの選択が維持される。前述のように、適切なＵＭＡ網制御装置の選択には様々な方法がある。一実施例では、ＵＭＡ網制御装置はＡＰの識別をロケーションと、対応するＭＳＣと、対応するＵＭＡ網制御装置にマッピングする。別の実施例では、ＵＭＡ網制御装置は基地局またはＡＰに関するロケーション情報を持っていないが、ロケーション情報を含むＡＰからの事前の登録があり、それを基にＵＭＡ網制御装置を選択する。
【０１３６】
最も単純なケースでは、登録要求は、そのＵＭＡ網制御装置にＵＭＡ無線リソース  ＲＥＧＩＳＴＲＡＴＩＯＮ  ＡＣＫ（肯定応答）伝文６０２を返させることで、それが提出されたＵＭＡ網制御装置によって保持される。任意で、この伝文はＵＭＡ無線リソース  ＲＥＧＩＳＴＲＡＴＩＯＮ  ＡＣＣＥＰ伝文と呼ばれる。ＵＭＡ無線リソース  ＲＥＧＩＳＴＲＡＴＩＯＮ  ＡＣＫ伝文６０２の一実施例を図８Ａに示す。
【０１３７】
ＵＭＡ無線リソース  ＲＥＧＩＳＴＲＡＴＩＯＮ  ＡＣＫ伝文６０２の情報要素は、基本的ＩＤ（プロトコル判別子、スキップ・表示子、伝文タイプ、ＵＣＩ）ならびにＵＭＡシステム情報要素、ＧＰＲＳアップリンクＩＰアドレス、ＧＰＲＳアップリンクＵＤＰポート、Ｕｐパラメータ構成情報要素、ステータス情報要素を含む。ＵＭＡシステム情報要素の一実施例のフォーマッティングの詳細を図８Ｂに示す。図８ＢのＵＭＡシステム情報要素に示す各種フィールドの詳細を以下に示す。
ＧＬＩＲ−ＧＳＭロケーション情報要求
０  ＧＳＭロケーション情報要求せず
１  ＧＳＭロケーション情報要求
ＡＴＴ−アタッチ／デタッチ許可
０  ＵＭＡセルでＩＭＳＩアタッチ／デタッチ許可せず
１  ＵＭＡセルの移動局がＩＭＳＩアタッチおよびデタッチ手順を適用
ＴＩ８０４−タイマ値
０００  ０秒、すなわち、ＵＭＡ−ＬＩＮＫ−ＤＥＴＡＣＨ伝文の受信またはリンクロスで即座にアクセスモード切り替え
００１  ５秒
０１０  １０秒
０１１  １５秒
１００  ２０秒
１０１  ２５秒
１１０  ３０秒
１１１  ３５秒
ＵＭＡ−セル−再選択−ヒステリシス
０００  ０ｄＢ  ＲｘＬｅｖヒステリシス
００１  ２ｄＢ  ＲｘＬｅｖヒステリシス
０１０  ４ｄＢ  ＲｘＬｅｖヒステリシス
０１１  ６ｄＢ  ＲｘＬｅｖヒステリシス
１００  ８ｄＢ  ＲｘＬｅｖヒステリシス
１０１  １０ｄＢ  ＲｘＬｅｖヒステリシス
１１０  １２ｄＢ  ＲｘＬｅｖヒステリシス
１１１  １４ｄＢ  ＲｘＬｅｖヒステリシス
Ｔ３２１２−定期的ロケーション・更新・タイマ
Ｔ３２１２タイムアウト値フィールドを、デシアワーで定期的に更新するためのタイムアウト値の２進表記としてコーディングする。
範囲：１から２５５
値０を無限タイムアウト値に用いる、すなわち、定期的更新はＵＭＡセル内では用いない。
ＥＣ−緊急通話許可
０：ＵＭＡセルにおいてすべての移動局への緊急通話が許可される
１：１１から１５の間のクラスの１つに属する移動局を除き、ＵＭＡで許可されない緊急通話
ＡＣ  ＣＮ−アクセス制御クラスＮ
ＡＣ付き移動局では、ＡＣ  ＣＮビットが「０」でコーディングされる場合、Ｃ＝Ｎアクセスは除外されない；Ｎ  ＝  ０，  １，  ．．  ９，  ．．，  １５
ＴＩ８１１−ＵＭＡチャンネル起動タイマ
ＴＩ８１１値フィールドは、１００ＭＳ分解能でのタイムアウト値の２進表現としてコーディングされる。
範囲：１−２５５（１００ＭＳから２５．５秒）
ＴＩ９００−ＧＳＭからＵＭＡ無線リソース  ＨＡＮＤＯＶＥＲ監督タイマ
ＴＩ９００値フィールドは、１００ＭＳ分解能でのタイムアウト値の２進表現としてコーディングされる。
範囲：１１−２５５（１．１秒から２５．５秒）
ＵＭＡ−ＢＡＮＤ
００００  Ｐ−ＧＳＭ９００
０００１  Ｅ−ＧＳＭ９００
００１０  Ｒ−ＧＳＭ９００
００１１  ＤＣＳ  １８００
０１００  ＰＣＳ  １９００
０１０１  ＧＳＭ  ４５０
０１１０  ＧＳＭ  ４８０
０１１１  ＧＳＭ  ８５０
他の値はすべて留保される。
ＥＣＳＭ−早期クラスマーク送信モード、「早期クラスマーク送信」行動を制御
０  第１ダウンリンク・伝文が受信されるまでＵＭＡ無線リソースクラスマーク変更伝文を保持
１  ＵＭＡ  ＲＲ接続が確立された後、出来る限り早くＵＭＡ無線リソースクラスマーク変更伝文を送る
ＧＰＲＳ  Ｉｎｄ−ＧＰＲＳサービス利用可能性
０  ＵＭＡセルでＧＰＲＳサービスを利用できない
１  ＵＭＡセルでＧＰＲＳサービスに対応
ＵＭＡ−ＧＰＲＳ−セル−再選択−ヒステリシス
０００  ０ｄＢ  ＲｘＬｅｖヒステリシス
００１  ２ｄＢ  ＲｘＬｅｖヒステリシス
０１０  ４ｄＢ  ＲｘＬｅｖヒステリシス
０１１  ６ｄＢ  ＲｘＬｅｖヒステリシス
１００  ８ｄＢ  ＲｘＬｅｖヒステリシス
１０１  １０ｄＢ  ＲｘＬｅｖヒステリシス
１１０  １２ｄＢ  ＲｘＬｅｖヒステリシス
１１１  １４ｄＢ  ＲｘＬｅｖヒステリシス
ＮＭＯ−オペレーションのネットワーク・モード。このフィールドは「ＧＰＲＳ  Ｉｎｄ」フラグが１に設定されている場合のみ有意である。
００  オペレーションのネットワーク・モードＩ
０１  オペレーションのネットワーク・モードＩＩ
１０  オペレーションのネットワーク・モードＩＩＩ
１１  保留
ＵＭＣ−ＲＡＣ−ＵＭＡセルのルーチング・エリア・コード、ＧＳＭ０３．０３参照。このフィールドは、「ＧＰＲＳ  Ｉｎｄ」フラグが１に設定されている場合のみ有意である。
【０１３８】
Ｕｐパラメータ構成情報要素によって、ＵＭＡ網制御装置はタイマ、再試行カウンタ等のＵｐインターフェース・パラメータを構成することができる。ステータス情報要素は、ロケーション・サービスが利用可能か否かについてＵＭＡ網制御装置からの表示を与える（ＡＰの地理的位置に関する知識に基づく）。これを用いて、移動局でのアイコンその他表示をトリガすることができる。一実施例では、可能な値は次の通りである。
０  ロケーション・サービスが利用可能
１  ロケーション・サービスが利用不可能
【０１３９】
ネットワークが、移動局からの登録を拒否すると決定した場合、ＵＭＡ網制御装置は図６Ｂの伝文形式に示すようにＵＭＡ無線リソース登録拒否伝文６０４を移動局に返す。ＵＭＡ無線リソース登録拒否伝文６０４の一実施例の形式を図９に示す。基本的情報要素に加えて、この伝文は、ＵＭＡ  ＲＲ原因情報要素と、任意でリダイレクトＵＭＡ網制御装置アドレス情報要素およびリダイレクトセキュリティ・ゲートウェイアドレス情報要素を含む。ＲＲ原因情報要素は、ネットワーク構成、ＡＰ不許可、ロケーション不許可、ＩＭＳＩ不許可等、拒絶の理由を指定するために用いる値を含む。
【０１４０】
任意のリダイレクトＵＭＡ網制御装置アドレス情報要素とリダイレクトＳＧＷアドレス情報要素をリダイレクト目的で利用することができる。例えば、ＵＭＡ網制御装置リダイレクトを含む登録伝文形式を図６Ｃに示す。リダイレクトは、各種状況で適用される。例えば、あるＡＰのロケーションを、他のＵＭＡ網制御装置を介したネットワーク接続によってより有利になるよう移動する場合等である。同様に、加入者ロケーションが異なり、デフォルトＵＭＡ網制御装置が該当しない場合、移動局は加入者の「通常」ロケーションに基づくデフォルトＵＭＡ網制御装置にアクセスするよう指示する情報を含むことができる。
【０１４１】
図６Ｃを参照すると、ステップＥにおいて、ＵＭＡ網制御装置２へセッションをリダイレクトする判断は、前述の該当する基準を考慮して、ＵＭＡ網制御装置１およびまたはネットワークが行う。ステップＦにおいて、ＵＭＡ網制御装置１は登録要求に肯定応答し、選択したＵＭＡ網制御装置２のアドレスおよび／またはＵＭＡ網制御装置に関連するセキュリティ・ゲートウェイのアドレスを含むＵＭＡ無線リソース登録拒否伝文６０４Ａを移動局１０２に送る。アドレスは、ＦＱＤＮ（完全に記述したドメイン名）またはＩＰアドレス等の別の形でよい。別の実施例では、別個ＵＭＡ無線リソース登録リダイレクト伝文を用いる（図示せず）。この実施例では（別個ＵＭＡ無線リソース登録拒否およびＵＭＡ無線リソース登録リダイレクト伝文）では、ＵＭＡ無線リソース登録拒否伝文はリダイレクト情報要素を含まない。
【０１４２】
ステップＧでは、移動局は選択したＵＭＡ網制御装置についてＤＮＳクエリを実行する。ＵＭＡ網制御装置１とのＴＣＰ接続を解除し、第２ＵＭＡ網制御装置のＩＰアドレスまたはＳＧＷアドレスとの接続を開始する。従って、ステップＨでは、移動局と、移動局がリダイレクトされた新しいＵＭＡ網制御装置２との間でＴＣＰ接続が確立される。ステップＨでは、移動局と第２ＵＭＡ網制御装置との間に接続が確立される。当初ＵＭＡ網制御装置とのＩＰＳｅｃトンネルを再利用するか、新しいものを確立する（図示せず）。
【０１４３】
ステップＩでは、移動局は、ＵＭＡ無線リソース登録要求伝文６００Ａに示すように、第２ＵＭＡ網制御装置に第２の登録要求伝文を送る。ＵＭＡ無線リソース登録要求タイプの伝文では、理由フィールドは、通常の接続の代わりにリダイレクトの値が入る。登録要求中の情報によって、新しいＵＭＡ網制御装置に、移動局をさらにリダイレクトするため持っている情報を適用させる。これはＡＰのロケーションにより近いため、ＡＰや近傍の基地局またはネットワークリソース割り当てに関して、より多く、またはよりよい情報を持っており、移動局をさらにリダイレクトすることができる。理由フィールドを用いて、移動局にリダイレクト数を知らせる。これを、移動局が単一のＡＰで経験するリダイレクトの総数を１または２または他の数に限定するために用いることができる。
【０１４４】
ステップＪでは、ＵＭＡ網制御装置との接続を通常通り継続する。これには、登録肯定応答、通話セットアップおよびティアダウン、対応する各種音声またはデータサービスのいずれかを含むことができる。
登録更新
【０１４５】
各種利用シナリオにおいて、登録更新を実行する必要が生じる場合がある。一般に、登録更新手順は、移動局（より一般的）またはネットワーク（あまり一般的でない）によって開始される。例えば、移動局がＵＭＡ網制御装置への登録に成功した後、移動局は登録更新手順を利用し、（移動局がネットワークにアクセスしている）ＡＰまたは重なり合うＧＳＭカバレッジが変化したかどうかをＵＭＡ網制御装置に知らせることができる。
【０１４６】
移動局が開始した登録更新を容易にするため採用する伝文の例を図１０Ａに示す。ステップＡにおいて、移動局１０２は前述の通常の方法でＵＭＡ網制御装置１４０との接続を確立している。ステップＢにおいて、移動局は有効なセル情報を取得する。例えば、移動局はローカルＧＳＭセルの情報を受信する。ステップＣでは、移動局はＵＭＡ無線リソース登録更新・アップリンク伝文１０００をＵＭＡ網制御装置に送信する。ＵＭＡ無線リソース登録更新・アップリンク伝文は、移動局によってＵＭＡ網制御装置に送られ、登録パラメータを更新する。
【０１４７】
図１１は、ＵＭＡ無線リソース登録更新・アップリンク伝文１０００の一実施例を示す。基本的情報要素に加えて、この伝文は、理由情報要素、セル識別子リスト情報要素、Ｃ１リスト情報要素、ＡＰ識別子情報要素、ＡＰロケーション情報要素を含む。理由情報要素は必須情報要素で、更新の理由がセル更新によるものかＡＰ更新によるものかを指定する。セル識別子リスト情報要素は、ＧＳＭセル情報（ＵＭＡ  ＲＲエンティティが利用可能）が最後の登録または更新以来変化した場合に含まれる。この情報要素内では、セル識別判別子フィールドは、セル・グローバル識別（ＣＧＩ）形式を用いてこのセルを識別することを示す００００である。Ｃ１リスト情報要素は、セル識別子リスト情報要素が存在する場合のみ存在する。これは、セル識別子リスト情報要素の各セルのパス・ロス基準パラメータＣ１を含む。ＡＰ識別子情報要素は、移動局がＵＭＡ網制御装置と通信するＡＰが、最後の登録または更新以来変化した場合に含まれる。ＡＰ識別子は、移動局がＵＭＡ網制御装置と通信しているＡＰの免許不要インターフェースのＭＡＣアドレスである。
【０１４８】
ＵＭＡ無線リソース登録更新・アップリンク伝文を受信すると、ネットワークは登録更新を受理または拒否するか、その移動局を他のＵＭＡ網制御装置にリダイレクトする。一実施例では、ＵＭＡ網制御装置が取るべきアクションがなければ（移動局のアクセス要素の変更等）、ＵＭＡ網制御装置は単にリプライ伝文なしに登録更新パラメータを受け入れる。この場合、ＵＭＡ無線リソース登録更新・アップリンク伝文は単なる情報である。ネットワークが登録更新を拒否する場合、ネットワークはＵＭＡ無線リソース登録取り消し伝文を移動局に送る。ＵＭＡ無線リソース登録取り消し伝文の詳細については以下に述べる。さらに、伝文で送られる登録更新情報により、ＵＭＡ網制御装置は、図１０ＡのステップＤでＵＭＡ無線リソース登録リダイレクト伝文６０４Ａで示すように、ＵＭＡ無線リソース登録リダイレクト伝文を用いて別のＵＭＡ網制御装置にこの移動局をリダイレクトする。これに対応して、ステップＥに示すように、移動局がリダイレクトされた新しいＵＭＡ網制御装置との間に通常の接続手順が確立されることになる。
【０１４９】
図１０Ｂは、ネットワーク開始登録更新に関連して実行される各種伝文転送を示す。前のように、ステップＡにおいて、移動局１０２は通常の方法でＵＭＡ網制御装置１４０と接続を確立する。ステップＢにおいて、ネットワーク開始更新イベントが発生する。ステップＣにおいて、ＵＭＡ網制御装置はＵＭＡ無線リソース登録更新・ダウンリンク伝文１００２を送るが、その一実施例を図１２に詳述する。ＵＭＡ無線リソース登録更新・ダウンリンク伝文１００２は、リダイレクトＵＭＡ網制御装置アドレス情報要素、リダイレクトＳＧＷアドレス情報要素、ステータス情報要素を含む。ステータス情報要素は、ロケーション・サービスが利用可能かどうかに関して（ＡＰの地理的位置に関する知識に基づき）ＵＭＡ網制御装置からの表示を与える。これを用いて、移動局でのアイコンその他表示をトリガすることができる。一実施例では、可能な値は次の通りである。
０  ロケーション・サービスが利用可能
１  ロケーション・サービスが利用不可能
【０１５０】
ある条件下では、更新した登録情報を考慮し、移動局をリダイレクトして別のＵＭＡ網制御装置と再登録させることが有利である。ネットワークがその移動局を別のＵＭＡ網制御装置にリダイレクトすると決定すると、ネットワークは、ステップＤにおいてＵＭＡ無線リソースレジスタ・リダイレクト・伝文６０４Ｂで示すように、その移動局にＵＭＡ無線リソース登録リダイレクト伝文を送る。ステップＥでは、通常の接続手順が実行され、移動局がリダイレクトされたＵＭＡ網制御装置と接続を確立する。
登録取り消し
【０１５１】
一般に、登録取り消しは、移動局（既存の接続を登録取り消しする場合等）またはネットワークによって適切なＵＭＡ網制御装置を介して開始される。例えば、移動局は、ＡＰを離れる前に登録取り消し手順を実行しようとしなければならないが、これは移動局からＵＭＡ網制御装置へＵＭＡ無線リソース登録取り消し伝文を送ることによって容易化される。同様に、ＵＭＡ網制御装置は、移動局にＵＭＡ無線リソース登録取り消し伝文を送ることによって、いつでも移動局の登録取り消しを開始できる。
【０１５２】
例としてＵＭＡ無線リソース登録取り消し伝文・形式１３００を図１３に示すが、これは基本的情報要素に加えてＵＭＡ無線リソース原因情報要素を含む。ＵＭＡ無線リソース原因情報要素の例としての値のセットを含むルックアップ・テーブルを図１４に示す。ＵＭＡ無線リソース原因値に基づき、ＵＭＡ無線リソース原因ルックアップ・テーブルをルックアップして、登録取り消しの理由を識別する。
チャンネル起動
【０１５３】
チャンネル起動を用いて、音声または回線交換データ帯載チャンネルを確立する。図１５は、チャンネル起動に関連して実行される例示的伝文形式を示す。ステップＡにおいて、移動局１０２は、通常の方法でＵＭＡ網制御装置１４０と接続を確立する。ステップＢにおいて、ＵＭＡ網制御装置は移動局にＵＭＡ無線リソースチャンネル起動伝文１５００を送る。ＵＭＡ無線リソースチャンネル起動伝文受信に対応して、移動局は対応するＵＭＡ音声帯載チャンネルの確立を試みる。成功すると、移動局は、ステップＣに示すように、ＵＭＡ無線リソースチャンネル起動肯定応答伝文１５０２を返す。ＵＭＡ音声帯載チャンネルが確立できない場合、移動局は、ステップＣに示すようにＵＭＡ無線リソースチャンネル起動失敗伝文１５０４を返す。起動が成功したら、ＵＭＡ無線リソースチャンネル起動完了伝文１５０６がＵＭＡ網制御装置から移動局に送られ、ステップＤに示すように、移動局とＵＭＡ網制御装置との間で確立された音声チャンネルが利用可能になったことが示される。
【０１５４】
図１６は、ＵＭＡ無線リソースチャンネル起動伝文の一実施例の詳細を示す。基本的情報要素に加えて、この伝文は、チャンネル・モード情報要素、ＵＭＡ網制御装置ＳＤＰ  情報要素、およびＣＩＰＨＥＲモード設定情報要素を含む。一実施例では、チャンネル・モード情報要素は次のチャンネル・モードを指定する。
００００  ０００１  音声フルレートまたはハーフレート・バージョン１
００１０  ０００１  音声フルレートまたはハーフレート・バージョン２
０１００  ０００１  音声フルレートまたはハーフレート・バージョン３（ＡＭＲバージョン１）
【０１５５】
ＵＭＡ網制御装置ＳＤＰ（セッション記述プロトコル）情報要素を用いて、音声帯載チャンネルのアップリンク（移動局からＵＭＡ網制御装置）部分を実装するための情報を指定する。例えば、この情報には、ネットワーク・アドレス（ＩＰアドレス）、トランスポート・アドレス（ポート）、トランスポート・プロトコル（ＵＤＰ上のＲＴＰ等）、サンプル・サイズ（２０ＭＳ等）およびペイロードタイプ（中でも特に）を含む。一実施例では、この情報要素の値の形式はＲＦＣ２３２７、３５５１および３２６７に定義される。この情報を含有するのに単一の情報要素を利用することは単なる例示で、かかる情報は別々の情報要素を介して与えることもできる。任意のＣＩＰＨＥＲモード設定情報要素は、移動局が割り当てチャンネルに切り替えられた後、暗号化モードを変更する時に現れる。この情報要素を省略する場合、暗号化モードは、チャンネル割り当て手順後に変更されない。
【０１５６】
図１７は、ＵＭＡ無線リソースチャンネル起動肯定応答伝文の一実施例を示す。基本的情報要素に加えて、この伝文形式は、移動局  ＳＤＰ  情報要素、任意のセル識別子リスト情報要素、および条件付Ｃ１リスト情報要素を含むことができる。移動局  ＳＤＰ  情報要素を用いて、音声帯載チャンネルのダウンリンク（ＵＭＡ網制御装置から移動局）部分を実装するための情報を指定する。この情報要素は、前述のＵＭＡ網制御装置  ＳＤＰ  情報要素と実質的に類似であるが、ポートおよびアドレス情報はここではＵＭＡ網制御装置ではなく移動局に関連する。有効なＧＳＭセル情報がＵＭＡ  ＲＲ  エンティティにとって利用可能な場合、セル識別子リスト情報要素が含まれる。この情報要素内では、セル識別判別子フィールドは００００に設定され、セル・グローバル識別（ＣＧＩ）形式を用いてこのセルを識別することを示す。Ｃ１リスト情報要素は、セル識別子リスト情報要素が存在する場合のみ存在する。これは、セル識別子リスト情報要素の各セルのパス・ロス基準パラメータＣ１を含む。
【０１５７】
図１８は、ＵＭＡ無線リソースチャンネル起動失敗伝文の一実施例を示す。追加情報要素には、ＵＭＡ  ＲＲ原因情報要素、任意のセル識別子リスト情報要素、条件付Ｃ１リスト情報要素が含まれる。ＵＭＡ  ＲＲ原因情報要素は、コード化した失敗の原因を含む。一方、セル識別子リスト情報要素と条件付Ｃ１リスト情報要素は上記と同じである。
【０１５８】
図１９は、ＵＭＡ無線リソースチャンネル起動完了伝文の一実施例を示す。図に示すように、この伝文・形式は基本的情報要素のみ含み、伝文はその伝文タイプ値によって識別される。
セル引継ぎ
【０１５９】
ネットワークがサポートするセル引継ぎには主に２つのタイプがある。ＵＭＡＮへのセル引継ぎとＵＭＡＮからのセル引継ぎである。ＵＭＡＮへのセル引継ぎ中、移動局へのネットワーク・アクセスは、免許要ベースの無線アクセス・ネットワーク（ＧＥＲＡＮ）からＵＭＡＮネットワーク・インフラへセル引継ぎされる。ＵＭＡＮからのセル引継ぎでは、移動局アクセスは、ＵＭＡＮネットワーク・インフラから免許要ベース無線アクセス・ネットワークへセル引継ぎされる。
ＵＭＡＮへのセル引継ぎ
【０１６０】
ＵＭＡＮへのセル引継ぎに対応する例示的伝文・形式を図２０に示す。ステップＡは、図６Ａに示す技術を用いる等して、以前に確立した既存接続を示す。ステップＢにおいて、免許要ネットワークによる対応するセル引継ぎ命令に対して、ＵＭＡ無線リソースセル引継ぎ・アクセス伝文２０００が移動局１０２からＵＭＡ網制御装置１４０へ送られる。チャンネル・モード情報要素において非シグナリング・モードが示されている場合、ＵＭＡ網制御装置は、ステップＣに示すようにトラフィック・チャンネル割り当てを開始する。トラフィック・チャンネル割り当てが成功したら、移動局は、ステップＤに示すように、ＵＭＡ網制御装置にＵＭＡ無線リソースセル引継ぎ完了伝文２００２を返す。
【０１６１】
ＵＭＡ無線リソースセル引継ぎアクセス伝文の一実施例を図２１に示す。基本的情報要素に加えて、この伝文・形式は、セル引継ぎ指示伝文情報要素を含む。この情報要素は完全なセル引継ぎ指示レイヤ３伝文（後述する）を含み、ＵＭＡ網制御装置がアクセス識別に用いるセル引継ぎ参照を提供する。
【０１６２】
図２２は、ＵＭＡ無線リソースセル引継ぎ完了伝文の一実施例を示す。この伝文形式は基本的情報要素を含み、伝文型の値で識別される。
ＵＭＡＮからのセル引継ぎ
【０１６３】
ＵＭＡＮからのセル引継ぎは、移動局とＵＭＡＮとの間の接続を、別の無線アクセス網（ＧＥＲＡＮ等）に転送するために実行される。ＵＭＡＮからの成功および失敗したセル引継ぎに対応する伝文形式をそれぞれ図２３Ａと図２３Ｂに示す。ＵＭＡＮからのセル引継ぎ手順は、ステップＡに示すように、セッション確立で始まり、移動局は専用状態である。ステップＢにおいてＵＭＡ網制御装置から受信したＵＭＡ無線リソースアップリンク品質表示伝文２３００に対し、または移動局がセル引継ぎが適切と判断した場合、移動局はステップＣでＵＭＡ網制御装置にＵＭＡ無線リソースセル引継ぎ必要伝文２３０２を送る。すると、ＵＭＡ網制御装置はステップＤで、ＵＭＡ無線リソースセル引継ぎ指示２３０４を移動局に送り返す。ＵＭＡＮからのセル引継ぎが失敗した場合、移動局は、図２３ＢでステップＥに示すように、ＵＭＡ無線リソースセル引継ぎ失敗伝文２３０６を返す。
【０１６４】
ＵＭＡ無線リソースアップリンク品質表示伝文の一実施例の詳細を図２４に示す。
この伝文は、帯載チャンネルのアップリンク品質を示す各種情報を含む。この情報の特定の形式は、特定の実施例に依存する。
【０１６５】
図２５は、ＵＭＡ無線リソースセル引継ぎ必要伝文の一実施例の詳細を示す。標準情報要素に加えて、この伝文は、チャンネル・モード情報要素と、セル識別子リストと、Ｃ１リストとを含む。後者の２つの情報要素は、ＧＳＭ０４．０８に指定されるチャンネル・モードを定義する。
【０１６６】
図２６Ａおよび図２６Ｂは、ＵＭＡ無線リソースセル引継ぎ・指示伝文の一実施例の詳細を示す。この伝文・形式は、ＧＳＭ０４．０８／リリース９８に定義するセル引継ぎ・指示伝文形式に基づき、ＵＭＡからＧＳＭへのセル引継ぎに該当しない任意の情報要素をすべて除いてコンパイルされる。この伝文形式は、基本的情報要素に加えて多くの情報要素を含むが、一部情報要素を以下に詳述する。
【０１６７】
同期表示情報要素を用いてどのタイプの同期が該当するかを示す。この情報要素が現れない場合、想定される値は「非同期」である。ＧＳＭ０４．０８のセクション３．４．４．２に定義される４種類のセル引継ぎは、非同期、同期、予め同期および擬似同期である。ＵＭＡからＧＳＭへのセル引継ぎは、非同期あるいは予め同期セル引継ぎのいずれかである。同期セル引継ぎと擬似同期セル引継ぎでは、移動局が、古いＢＴＳでの既知の一方向遅延と、古いＢＴＳと新しいＢＴＳとの間の観測時間差に基づきタイミング調整量を計算する必要がある（より詳しくはＧＳＭ０５．１０の付録Ａ）。ＵＭＡからＧＳＭへのセル引継ぎでは、このような変数は未知である。この情報要素のＲＯＴフィールドは０に設定し、移動局がセル引継ぎ完了伝文で観測時間差をレポートする必要がないようにする。
【０１６８】
第１チャンネルのモード情報要素：この情報要素が存在しない場合、以前に割り当てたチャンネルのチャンネル・モードを想定する。
【０１６９】
周波数チャンネル・シーケンス、周波数リスト、周波数ショートリストおよびモバイル割り当て、時間後情報要素：時間後のチャンネル記述の少なくとも１個が周波数ホッピングを示す場合、次の情報要素の１つが存在する。
周波数チャンネル・シーケンス、時間後情報要素；
周波数リスト、時間後情報要素；
周波数ショートリスト、時間後情報要素；
モバイル割り当て、時間後情報要素；
【０１７０】
チャンネル記述情報要素のいずれも周波数ホッピングを示さない場合、時間前のチャンネル記述情報要素のデコードにこれらが必要ない場合、および４つの情報要素のいずれかが存在する場合、これらは伝文で不要な情報要素とみなされる。
【０１７１】
周波数チャンネル・シーケンス情報要素は、それが示すすべてのＡＲＦＣＮがＰ−ＧＳＭバンドにない限り用いない。開始時間情報要素は、ネットワークが移動局に対し、チャンネル変更が生じた瞬間のチャンネルに、多かれ少なかれ周波数パラメータを変更させたい場合に含まれる。この場合、開始時間前に用いる周波数パラメータを与えるため、多数の情報要素が含まれる。開始時間情報要素とは、新しいセル時間を指す。開始時間情報要素が存在し、開始時間前を指す情報要素が１つもない場合、移動局は待機し、表示された時間にチャンネルにアクセスする。開始時間情報要素が存在し、開始時間前を指す情報要素の少なくとも１つが存在する場合、移動局は表示された時間を待たず、開始時間前の周波数パラメータを用いてチャンネルにアクセスする。開始時間情報要素が存在せず、開始時間前を指す情報要素のどれかが存在する場合、これら情報要素は伝文に不要な情報要素とみなされる。
【０１７２】
第１チャンネルの記述、時間前情報要素が存在しない場合、時間前に適用されるチャンネル記述が必要な場合は、第１チャンネルの記述、時間後情報要素によって与えられる。第２チャンネルの記述、時間後情報要素があり、第２チャンネルの記述、時間前情報要素がなく、時間前について構成の記述が必要な場合でも、開始時間前のチャンネル構成は２つのトラフィック・チャンネルで、開始時間前の第２チャンネルに適用するチャンネル記述は、第２チャンネルの記述、時間後情報要素によって与えられる。
【０１７３】
開始時間情報要素があり、開始時間前のチャンネル記述の少なくとも１つが周波数ホッピングを示す場合、次の情報要素の１個のみが存在し、すべての割り当てチャンネルに開始時間前に適用される。
モバイル割り当て、時間前情報要素；
周波数ショートリスト、時間前情報要素；
周波数リスト、時間前情報要素；
周波数チャンネル・シーケンス、時間前情報要素。
【０１７４】
開始時間情報要素が存在し、開始時間前のチャンネル記述の少なくとも１つが周波数ホッピングを示し、上記情報要素のいずれも存在しない場合、開始時間後の周波数リストが存在しなければならず、このリストは開始時間前のチャンネルにも適用される。
【０１７５】
基準セル周波数リスト：モバイル割り当て情報要素のいずれかが存在する場合、セルチャンネル記述情報要素が存在しなければならない。これを用いて、伝文のモバイル割り当て情報要素をデコードする。さらに、開始時間前に関連する情報要素が伝文に存在しない場合、セルチャンネル記述情報要素の定義する周波数リストを用いて、新しい基準セル周波数リストの受信または新しいセルを出るまで、新しいセルで受信した、後の伝文のモバイル割り当て情報要素をデコードする。
【０１７６】
タイミング・アドバンス情報要素要素は、「同期表示」要素が予め同期させたセル引継ぎを示す場合に存在する。予め同期セル引継ぎに含まれない場合、ＧＳＭ０５．１０に定義するデフォルト値を用いる。その他のタイプのセル引継ぎでは、不要な情報要素とみなされる。
【０１７７】
ＣＩＰＨＥＲモード設定情報要素：この情報要素を省略する場合、移動局を割り当てチャンネルに切り替えた後、暗号化のモードは変更されない。第１チャンネルのモード情報要素が、マルチレート音声コーデックを示し、割り当てられた構成が新しい、すなわち、サービング・セルで用いられるマルチレート構成と異なる場合、マルチレート構成情報要素が現れる。第１チャンネルのモード情報要素がマルチレート音声コーデックを示し、この情報要素が含まれていない場合、移動局はマルチレート構成が変更されなかったと想定する。
【０１７８】
図２７は、ＵＭＡ無線リソースセル引継ぎ失敗伝文の一実施例の詳細を示す。基本的情報要素に加えて、この伝文はＵＭＡ  ＲＲ原因情報要素を含み、適用される値は図１４の値表に定義するとおりである。
ＵＭＡ無線リソースの解除
【０１７９】
ＵＭＡ無線リソース接続およびシグナリングの解除は、移動局またはＵＭＡ網制御装置が開始することができる。図２８に、移動局によって開始されたＵＭＡ無線リソース解除を示す。ステップＡにおいて、ＳＭ１０２とＵＭＡ網制御装置１４０との間の接続は、移動局が専用状態で動作して確立される。ＵＭＡ無線リソースを解除するには、移動局は、ステップＢでＵＭＡ無線リソース要求クリア伝文２８００をＵＭＡ網制御装置に送る。ＵＭＡ無線リソース要求クリア伝文の一実施例の詳細を図２９に示す。この伝文・形式は基本的情報要素を含み、伝文は伝文タイプ値によって識別される。ＵＭＡ無線リソース要求クリア伝文に対して、ＵＭＡ網制御装置はコアネットワークに解除要求２８０２を送り、ステップＣに示すように、ＵＭＡ無線リソース接続に用いるリソースを解除する。これに対し、コアネットワークはそのＵＭＡ無線リソース接続の該当するリソースの解除を開始する。解除によって一般に図３０に示すシーケンスが生じる。
【０１８０】
図３０は、ＵＭＡ網制御装置によって開始されるか、ＵＭＡ網制御装置がＵＭＡ無線リソース要求クリア伝文を受信した時に生じるＵＭＡ無線リソース解除に対応する伝文・形式を示す。前回のように、移動局が専用状態で動作して、ステップＡにおいて、移動局１０２とＵＭＡ網制御装置１４０との間に接続が確立される。ステップＢにおいて、ＵＭＡ網制御装置はＵＭＡ無線リソース  ＲＲ解除伝文３０００（あるいはＵＭＡ無線リソース解除伝文と呼ばれる）を移動局に送る。（さらに詳しくは、ＵＭＡ網制御装置はＵＭＡ無線リソース要求クリアを受信し、移動局Ｃにクリア・リクエスト・伝文を送ってから、移動局Ｃはセッションを解除し、ＵＭＡ網制御装置がＵＭＡ無線リソース解除伝文を送ることになる）。対して、移動局はＵＭＡ無線リソース  ＲＲ解除完了伝文３００２あるいは、ＵＭＡ無線リソース解除完了伝文と呼ばれる）をステップＣにおいてＵＭＡ網制御装置に返す。さらに、移動局はすべてのＵＭＡ無線リソースリソースとトラフィック・チャンネル・リソースがあればこれを解除し、ＵＭＡ無線リソースＩＤＬＥ状態に入る。
【０１８１】
図３１は、ＵＭＡ無線リソース（ＲＲ）解除伝文の一実施例の詳細を示す。
基本的情報要素に加えて、この伝文形式はＵＭＡ  ＲＲ原因情報要素と任意でＧＰＲＳ再開情報要素を含む。ＵＭＡ  ＲＲ原因情報要素を用いて、図１４の表に定義する対応する値を介して解除の理由を定義する。ＧＰＲＳ（汎用パケット無線システム）再開情報要素を用いて、ＵＭＡ無線リソースセッションを開始した時移動局が中断していたＧＰＲＳセッションの再開にＵＭＡ網制御装置が成功したか否かを示す。
【０１８２】
図３２は、ＵＭＡ無線リソース解除完了伝文の一実施例の詳細を示す。
この伝文形式は基本的情報要素を含み、伝文は伝文タイプ値によって識別される。
呼・伝文
【０１８３】
ＵＭＡ網制御装置は、Ａインターフェース上で呼要求伝文またはＧｂインターフェース上で呼ＣＳ伝文を受信すると呼要求を開始する。呼要求する移動局は、要求で受信したアイデンティティによって識別される。呼伝文の交換例を図３３に示す。ＵＭＡ網制御装置１４０がステップＡでＵＭＡ無線リソース呼要求伝文３３００を移動局１０２に送ってシーケンスが開始される。ステップＢで、移動局は、ＵＭＡ無線リソース呼応答伝文３３０２を返す。この伝文は、ＵＭＡ無線リソース呼要求伝文に対する応答において、新しく確立されたＵＭＡ  ＲＲセッションの最初の伝文として移動局からＵＭＡ網制御装置に送られる。
【０１８４】
図３４は、ＵＭＡ無線リソース呼要求伝文の一実施例の詳細を示す。基本的情報要素に加えて、この伝文形式は必要チャンネル情報要素（呼要求が信号セッション確立または通話確立のいずれのためかを示すために用いられる）と、モバイル・アイデンティティ情報要素（移動局の識別に用いる）を含む。
【０１８５】
図３５は、ＵＭＡ無線リソース呼応答伝文の一実施例の詳細を示す。基本的情報要素に加えて、この伝文形式は暗号化キーシーケンス番号情報要素、必要チャンネル情報要素、移動局認証情報要素を含む。暗号化キーシーケンス番号情報要素の目的は、ネットワークが、認証手順を呼び出すことなしに移動局に保存した暗号化キーＫｃを識別できるようにすることである。Ｋｃは、移動局がネットワークによって認証されると（乱数でチャレンジ）、生成および保存される。ＵＭＡモードにある時は、Ｋｃは通話の暗号化には用いられないが、通話がＧＳＭにセル引継ぎされた場合は必要になる。ネットワークが各通話の認証を行わない場合（３または４通話毎等）、暗号化キーシーケンス番号情報要素は、保存されたＫｃ値を選択する方法を与える。
クラスマーク伝文
【０１８６】
クラスマーク伝文を用いて、ＵＭＡ網制御装置が移動局のケイパビリティに関する情報を取得できるようにする。クラスマーク調査手順は、図３６のステップＡに示すように、移動局が専用接続を確立した時（すなわち、移動局がＵＭＡ無線リソースＤＥＤＩＣＡＴＥＤモードにある時）に開始できる。ステップＢに示すように、ＵＭＡ網制御装置は、ＵＭＡ無線リソースクラスマーク問い合わせ伝文３６００を移動局に送ってクラスマーク調査手順を開始する。対応して、移動局はＵＭＡ無線リソースクラスマーク変更伝文３６０２をステップＣで返す。
【０１８７】
図３７は、ＵＭＡ無線リソースクラスマーク問い合わせ伝文の一実施例の詳細を示す。図示の伝文形式は基本的情報要素を含み、伝文は伝文タイプ値によって識別される。
【０１８８】
図３８は、ＵＭＡ無線リソースクラスマーク変更伝文の一実施例の詳細を示す。基本的情報要素に加えて、この伝文はモバイル状態クラスマーク情報要素と、追加移動局クラスマーク情報要素を含む。モバイル状態クラスマーク情報要素は、ＧＳＭ０４．０８定義のように、ＧＳＭ  ＲＲエンティティが現在用いている周波数帯に対応するクラスマーク２情報を含む。追加移動局クラスマーク情報要素は、移動局クラスマーク情報要素のＣＭ３ビットが１に設定されている場合に含まれる。この情報要素は、ＧＳＭ０４．０８に定義されるクラスマーク３の移動局追加ケイパビリティを与える。
ＵＭＡ網制御装置構成
【０１８９】
ＵＭＡ網制御装置の一実施例に対応する上位レベル構成を図解するブロック図を図３９に示す。ＵＭＡ網制御装置構成の中心部には屋内ネットワーク・コントローラ（ＩＮＣ）がある。一般に、ＩＮＣはＵＭＡ網制御装置について前述の動作に類似の動作を実行する。ただし、図示のＵＭＡ網制御装置構成に示すように、一体化したセキュリティ・ゲートウェイ・サーバと、ＩＮＣが制御するメディア・ゲートウェイが含まれる。従って、これら要素はそれぞれ、本書記載のＵＭＡ網制御装置動作の各種様態を容易化するため採用された別個要素として示す。
【０１９０】
一般に、ＵＭＡ網制御装置は移動局とＵＭＡ網制御装置との間の（図１に示すようにＡＰとブロードバンドＩＰネットワークを介する）通信をサポートする１個以上の通信ポートを提供する。例えば、図３９の図示の例では、セキュリティ・ゲートウェイ・サーバがＩＰポートを介してＩＰネットワーク１３８と接続される。さらに、ＩＰポートを用いて、ＩＮＣおよびメディア・ゲートウェイをセキュリティ・ゲートウェイ・サーバに接続する。
【０１９１】
セキュリティ・ゲートウェイ・サーバは、セキュリティおよび認証サービスを実行する。これは一体化ユニット（図示）でも、ＵＭＡ網制御装置に適切な通信リンクを介して接続された（物理的に）別個ユニットでもよい。同様に、メディア・ゲートウェイは、コアネットワークによって提供される音声サービスのメディア・ゲートウェイとして作用するが、これを一体化ユニット（図示）または、適切な通信リンクを介してＩＮＣとセキュリティ・ゲートウェイ・サーバに接続された別個ユニットから構成することができる。
【０１９２】
ＩＮＣは、本書に記載するＵｐインターフェース・伝文に対応する（すなわち、生成と処理）リソースを含む。これらリソースをＵｐインターフェース（Ｉ／Ｆ）ロジックとして示す。同様に、ＩＮＣは、Ｇｂポートを介してＳＧＳＮとの通信をサポートするＳＧＳＮインターフェース・ロジックと、ＳＳ７ポートを介して移動局交換基地との通信をサポートする移動局交換基地インターフェース・ロジックとを含む。一方、メディア・ゲートウェイは、ＴＤＭポートを介して移動局交換基地との通信をサポートする移動局交換基地インターフェース・ロジックを含む。Ｕｐインターフェース・ロジック、ＳＧＳＮインターフェース・ロジック、移動局交換基地インターフェース・ロジックはそれぞれ、ソフトウェア、プログラムド埋め込みハードウェアまたはこの２つの組み合わせの実行によって実行される。例えば、Ｕｐインターフェース・ロジックは、プロセッサ上の１個以上のソフトウェア・モジュールを実行することによって容易化されるが、これにおいて、ソフトウェア・モジュールはＵＭＡ無線リソース伝文を生成および／または処理するようコード化される。
【０１９３】
一般に、ＵＭＡ網制御装置は単一サーバ、マルチ離散型サーバ、マルチクラスタサーバによって実行できる。例えば、単一サーバを用いて、図３９のＵＭＡ網制御装置構成のブロック図に示す各種機能を提供するため、各種ソフトウェア・アプリケーションを走らせることができる。任意で、セキュリティ・ゲートウェイ・サーバ機能および／またはメディア・ゲートウェイ機能など機能の一部を別個サーバ（単数または複数）によって提供することができる。さらに別の構成では、ブレードサーバが採用される。このブレードサーバは、共通ラックまたは躯体に設置したマルチサーバ・ブレードを含み、サーバブレードはそれぞれ、自身のプロセッサ、メモリ、ネットワーク・インターフェースを持ち、別個サーバとして機能する。一実施例では、セキュリティ・ゲートウェイ・サーバ、ＩＮＣおよびメディア・ゲートウェイのそれぞれによって提供される機能は、ソフトウェア・アプリケーションおよび／またはそれぞれのサーバブレード上のモジュールの実行を介して容易化される。
移動局構成
【０１９４】
図４０は、移動局の一実施例の上位レベル構成を示すブロック図である。この構成は、非揮発メモリ４００２に接続されたプロセッサ４０００、免許要ＲＡＮアンテナサブシステム４００４および免許不要ＲＡＮアンテナサブシステム４００６を含む。非揮発メモリ４００２を用いて、本書に記載する各種機能および動作を実行するためのソフトウェア／ファームウェア命令を保存する。これら機能および動作は、免許要ＲＡＮインターフェース・ロジック４００８、ＷＬＡＮインターフェース・ロジック４０１０、Ｕｐインターフェース・ロジック４０１２として示される。
【０１９５】
免許要ＲＡＮアンテナサブシステム４００４と免許要ＲＡＮインターフェース・ロジック４００８は、従来の免許要ＲＡＮ動作を容易にするため採用される。例えば一実施例では、免許要ＲＡＮはＧＳＭネットワークからなるため、これら構成要素は、携帯通信業で周知のＧＳＭベースの携帯電話等が一般に採用する通常のＧＳＭネットワーク・オペレーションを容易化する。その一方、免許不要ＲＡＮアンテナシステム４００６とＷＬＡＮインターフェース・ロジック４０１０を用いて、ＵＭＡＮサービスにアクセスするアクセス・ポイント１２８を持つ免許不要無線チャンネル（すなわち、リンク）１３６をサポートする。一般に、これらブロックは、免許不要ＷＬＡＮリンクでの通信をサポートするために採用された従来の構成要素およびロジックを示す。例えば、これら構成要素は、Ｂｌｕｅｔｏｏｔｈリンクについては図３Ｂに示すＢｌｕｅｔｏｏｔｈ下位層、８０２．１１リンクについては図３Ｃに示す８０２．１１下位層の実施に採用できる構成要素を例示する。
【０１９６】
Ｕｐインターフェース・ロジック４０１２を用いて、本書に記載する移動局側Ｕｐインターフェース機能と動作を提供する。これには、各種ＵＭＡ無線リソース伝文の生成および処理と、図３Ａおよび図３Ｄから図３Ｆに示す各種Ｕｐインターフェース層の提供が含まれる。
【０１９７】
前述のように、本書に示す各種伝文は例示である。ただし、各伝文は、プロトコル判別子、スキップ・表示子および伝文・アイデンティティを含む情報要素の基本セットを含まなければならない。基本的情報要素としてＵＣＩ情報要素を含むことを本書図解の例示的伝文形式に示したが、ＵＣＩ  情報要素または伝文が第１伝文か、他の伝文か、または緊急関連かを示す類似情報要素は必要なく、この機能性は、通信装置に適切な状態情報を維持する等他の手段（すなわち、移動局およびＵＭＡ網制御装置）によって容易化される。
【０１９８】
提案の実施例では、ストリーミング・トランスポート（ＴＣＰ等）での伝文描写は、基礎となるトランスポート自体が実行する。従って、可変長さ伝文形式の長さを指定する情報要素を含める必要がない。しかしながら、伝文長さの指定に情報要素を利用することは、ストリーミングされた伝文を描写するための他の手段として発明者によって予期されるため、これは限定的なものではない。
【０１９９】
各種情報要素の形式は単なる例示である。例えば、単一情報要素または複数情報要素を介してある情報セットを設けることができる。さらに、本書に示す情報要素に含まれる情報を、他の形式で配置したり、および／または別の方法でグルーピングしたりすることができる。
【０２００】
各種伝文生成および処理動作を容易化するための手段とＵｐインターフェースの各種様態は、プロセッサ、マルチプロセッサ、マルチコアプロセッサ、マイクロコントローラ等を限定せずに含む適切な処理装置上でのソフトウェア／ファームウェア指令の実行を含む。そのため、本発明の実施例は、何らかの形式の処理コアで実行されるか、マシンリーダブル媒体上またはその中でインプリメントまたは実現される命令として、あるいはこれをサポートするために用いることができる。マシンリーダブル媒体は、マシン（コンピュータ等）によって読み取り可能な形式で情報を保存または送信する何らかの機構を含む。例えば、マシンリーダブル媒体は、リードオンリーメモリ（ＲＯＭ）、ランダムアクセスメモリ（ＲＡＭ）、磁気ディスク記憶媒体、光学記憶媒体、フラッシュメモリ装置等を含むことが出来る。さらに、マシンリーダブル媒体は、電気的、光学的、音響的その他伝播される信号の形式を含むことができる（搬送波、赤外線信号、デジタル信号等）。例えば、予期される一実施例では、ＵＭＡ伝文ングを容易化するためにソフトウェアアップグレードとして具現化される命令を、ＵＭＡＮまたはＧＳＭリンク等の無線リンクを介してモバイル装置にダウンロードすることができる。
【０２０１】
要約としての記述を含む本発明の図示実施例の上記説明は、網羅的であることや、開示される正確な様式に本発明を限定することを意図しない。本発明の特定の実施例および例を図解目的で本書で説明したが、本発明の範囲内で各種同等の修正が可能であることは、当業者に理解される。
【０２０２】
これら修正は、前述の説明の観点から本発明に加えることができる。以下の特許請求の範囲で用いる用語は、明細書および図面に開示する特定の実施例に本発明を限定するものと解釈してはならず、発明の範囲は以下の特許請求の範囲によって全体として決定されることは、請求の範囲解釈の確立された原理に従って解釈される。
【０２０３】
【表２ａ】
2008500751.tif 000002
【０２０４】
【表２ｂ】
2008500751.tif 000003
【０２０５】
【表２ｃ】
2008500751.tif 000004
【０２０６】
【表２ｄ】
2008500751.tif 000005
【０２０７】
【表２ｅ】
2008500751.tif 000006
【０２０８】
【表２ｆ】
2008500751.tif 000007
【図面の簡単な説明】
【０２０９】
【図１Ａ】本発明の一実施例による屋内アクセス・ネットワーク（ＩＡＮ）移動サービス局の全体図である。
【図１Ｂ−Ｃ】図１Ｂは、一実施例によるモバイルセットのプロトコル層を示し、図１Ｃは、一実施例によるプロトコル変換方法を示す説明図である。
【図２Ａ−Ｂ】図２ＡはＢｌｕｅｔｏｏｔｈシグナリングを介して免許不要無線リンクを提供する移動局の一実施例のレベル１、レベル２、およびレベル３ＧＳＭ関連プロトコル・構成の全体図を示し、図２Ｂは情報要素ＥＥ８０２．１１シグナリングを介して免許不要無線リンクを提供する移動局の一実施例のレベル１、レベル２、およびレベル３ＧＳＭ関連プロトコル・構成の全体図を示す。
【図３Ａ】一実施例による、ＣＳドメイン・シグナリングおよびＵ移動局固有シグナリングをサポートするＵｐインターフェース・プロトコル・構成を示す説明図である。
【図３Ｂ−Ｃ】図３Ｂは物理層通信を容易にするため移動局およびアクセス・ポイントにより採用されるＢｌｕｅｔｏｏｔｈ下位層を示し、図３Ｃは物理層通信を容易にするため移動局およびアクセス・ポイントにより採用されるＢｌｕｅｔｏｏｔｈ下位層を示す説明図である。
【図３Ｄ】一実施例によるＧＳＭ音声送信をサポートするＵｐ  ＣＳドメイン音声帯載・プロトコル・構成を示す説明図である。
【図３Ｅ】一実施例によるＵｐ  ＧＰＲＳユーザ・プレーン・プロトコル・構成を示す説明図である。
【図３Ｆ】一実施例によるＧＰＲＳシグナリングをサポートするＵｐプロトコル・構成を示す説明図である。
【図４】一実施例による考えられるＧＳＭおよびＵＭＡカバレッジシナリオ数例を示す。
【図５】一実施例の移動性管理機能を例示する。
【図６Ａ−Ｂ】図６Ａは登録成功に対応するＵＭＡ無線リソースレジスタ・伝文  交換を示し、図６Ｂは登録拒絶に対応するＵＭＡ無線リソースレジスタ・伝文  交換を示す説明図である。
【図６Ｃ】
図６Ｃは移動局を第１ＵＭＡ網制御装置から第２ＵＭＡ網制御装置にリダイレクトするＵＭＡ無線リソースレジスタ・伝文交換を示す説明図である。。
【図７】ＵＭＡ無線リソース登録要求伝文・形式の一実施例を示す表である。
【図８Ａ−Ｂ】図８ＡはＵＭＡ無線リソース登録肯定応答伝文・形式の一実施例を示す表であり、図８ＢはＵＭＡ  ＧＳＭシステム情報要素の一実施例を示す表である。
【図９】ＵＭＡ無線リソース  登録拒否／ＲＥＤＩＲＥＣＴ伝文・形式の一実施例を示す表である。
【図１０Ａ−Ｂ】図１０ＡはＵＭＡ無線リソース登録更新・アップリンク伝文  と、ＵＭＡ無線リソース登録リダイレクト伝文とを含むＵＭＡ無線リソース伝文・形式を示し、図１０ＢはＵＭＡ無線リソース登録更新・ダウンリンク伝文と、ＵＭＡ無線リソース登録取り消し伝文と、ＵＭＡ無線リソース登録リダイレクト伝文とを含むＵＭＡ無線リソース伝文・形式を示す。
【図１１】ＵＭＡ無線リソース登録更新・アップリンク伝文・形式の一実施例を示す表である。
【図１２】ＵＭＡ無線リソース登録更新・ダウンリンク伝文・形式の一実施例を示す表である。
【図１３】ＵＭＡ無線リソース登録取り消し伝文・形式の一実施例を示す表である。
【図１４】各種ＵＭＡ無線リソース動作の原因に対応する８ビット値を含むルックアップ・テーブルの一実施例を示す表である。
【図１５】チャンネル起動伝文・シーケンスを示す。
【図１６】ＵＭＡ無線リソースチャンネル起動伝文・形式の一実施例を示す表である。
【図１７】ＵＭＡ無線リソースチャンネル起動肯定応答伝文・形式の一実施例を示す表である。
【図１８】ＵＭＡ無線リソースチャンネル起動失敗伝文・形式の一実施例を示す表である。
【図１９】ＵＭＡ無線リソースチャンネル起動完了伝文・形式の一実施例を示す表である。
【図２０】移動局によって開始されるセル引継ぎ・伝文・形式を示す。
【図２１】ＵＭＡ無線リソースセル引継ぎ・アクセス伝文・形式の一実施例を示す表である。
【図２２】ＵＭＡ無線リソースセル引継ぎ完了伝文・形式の一実施例を示す表である。
【図２３Ａ−Ｂ】図２３ＡはＵＭＡ網制御装置から送られたＵＭＡ無線リソースアップリンク品質表示伝文に対して開始されるセル引継ぎ・伝文・形式を示し、図２３Ｂはセル引継ぎ失敗に従って、ＵＭＡ網制御装置から送られたＵＭＡ無線リソースアップリンク品質表示伝文に対して開始されるセル引継ぎ・伝文・形式を示す。
【図２４】ＵＭＡ無線リソースアップリンク品質表示伝文・形式の一実施例を示す表である。
【図２５】ＵＭＡ無線リソースセル引継ぎ必要伝文・形式の一実施例を示す表である。
【図２６Ａ】ＵＭＡ無線リソースセル引継ぎ・指示伝文・形式の一実施例を示す表部分図である。
【図２６Ｂ】ＵＭＡ無線リソースセル引継ぎ・指示伝文・形式の一実施例を示す表部分図である。
【図２７】ＵＭＡ無線リソースセル引継ぎ失敗伝文・形式の一実施例を示す表である。
【図２８】移動局からＵＭＡ網制御装置に送られるＵＭＡ無線リソース要求クリア伝文を示す。
【図２９】ＵＭＡ無線リソース要求クリア伝文・形式の一実施例を示す表である。
【図３０】ＵＭＡ網制御装置によって開始されたＵＭＡ無線リソースリリース・伝文・形式を示す。
【図３１】ＵＭＡ無線リソース  ＲＲ解除伝文・形式の一実施例を示す表である。
【図３２】ＵＭＡ無線リソース  ＲＲ解除完了伝文・形式の一実施例を示す表である。
【図３３】ＵＭＡ網制御装置によって開始されたＵＭＡ無線リソース呼・伝文・形式を示す。
【図３４】ＵＭＡ無線リソース呼要求伝文・形式の一実施例を示す表である。
【図３５】ＵＭＡ無線リソース呼応答伝文・形式の一実施例を示す表である。
【図３６】ＵＭＡ網制御装置によって開始されたＵＭＡ無線リソースクラスマーク・伝文・形式を示す。
【図３７】ＵＭＡ無線リソースクラスマーク問い合わせ伝文・形式の一実施例を示す表である。
【図３８】ＵＭＡ無線リソースクラスマーク変更伝文・形式の一実施例を示す表である。
【図３９】ＵＭＡ網制御装置の高レベル構成の一実施例を示す略図である。
【図４０】移動局の高レベル構成の一実施例を示す略図である。
【符号の説明】
【０２１０】
１０２  移動局  １１２  音声ネットワーク  １１６  データネットワーク
１２８  アクセス・ポイント  １３８  ブロードバンドＩＰネットワーク  ２０６  ＧＳＭベースバンド  ２１０  Ｂｌｕｅｔｏｏｔｈベースバンド  ３１８  リモートＩＰ  ３２２  トランスポートＩＰ
【手続補正３】
【補正対象書類名】図面
【補正対象項目名】図１Ａ
【補正方法】変更
【補正の内容】
【図１Ａ】
2008500751.tif 000008
【手続補正４】
【補正対象書類名】図面
【補正対象項目名】図１Ｂ−１Ｃ
【補正方法】変更
【補正の内容】
【図１Ｂ−１Ｃ】
2008500751.tif 000009
【手続補正５】
【補正対象書類名】図面
【補正対象項目名】図３Ａ
【補正方法】変更
【補正の内容】
【図３Ａ】
2008500751.tif 000010
【手続補正６】
【補正対象書類名】図面
【補正対象項目名】図３Ｄ
【補正方法】変更
【補正の内容】
【図３Ｄ】
2008500751.tif 000011
【手続補正７】
【補正対象書類名】図面
【補正対象項目名】図３Ｅ
【補正方法】変更
【補正の内容】
【図３Ｅ】
2008500751.tif 000012
【手続補正８】
【補正対象書類名】図面
【補正対象項目名】図３Ｆ
【補正方法】変更
【補正の内容】
【図３Ｆ】
2008500751.tif 000013
【手続補正９】
【補正対象書類名】図面
【補正対象項目名】図２２
【補正方法】変更
【補正の内容】
【図２２】
2008500751.tif 000014
【手続補正１０】
【補正対象書類名】図面
【補正対象項目名】図２３Ａ−２３Ｂ
【補正方法】変更
【補正の内容】
【図２３Ａ−２３Ｂ】
2008500751.tif 000015
【手続補正１１】
【補正対象書類名】図面
【補正対象項目名】図３９
【補正方法】変更
【補正の内容】
【図３９】
2008500751.tif 000016
【手続補正１２】
【補正対象書類名】図面
【補正対象項目名】図４０
【補正方法】変更
【補正の内容】
【図４０】
2008500751.tif 000017